(57)【要約】【課題】  外観の目視では見分けがつかない、遊間が失われている損傷に対して、橋梁の初期の施工不良であるか否かの診断、橋梁の橋台および／または橋脚の傾斜および／または変状が発生しているか否かの診断、橋梁の橋台、橋台の杭基礎、橋台の直接基礎、橋脚のケーソン基礎、前記橋脚の杭基礎および／または前記橋脚の直接基礎が傾斜を伴う側方移動を生じているか否かの診断、ならびに、支承および／または伸縮装置において損傷が発生しているか否かの診断の、少なくともいずれかの診断を行うことができる、遊間異常を有する橋梁の診断装置などを提供する。【解決手段】  温度計測部１１と遊間幅計測部１２とを備える。【選択図】  図１
2020094475.tif 000002
【特許請求の範囲】
【請求項１】
遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／または前記橋梁の橋桁と橋桁との継ぎ目においてそれぞれ設けられた略鉛直方向の遊間の実測伸縮量とを対比し、前記算出した温度変化による前記橋梁の橋桁の理論伸縮量と前記計測したそれぞれの遊間の実測伸縮量との相関関係の有無に基づいて、前記橋梁の橋台および／または橋脚の側方移動が発生しているか否かの判定を行い、前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行う装置または前記診断に用いる装置であって、
前記橋梁および／またはその近傍に配設されて、気温および／または前記橋梁の橋桁の温度を時系列に計測する１または複数の温度計測部と、
前記それぞれの遊間を跨ぐように配設されて前記それぞれの遊間の実測伸縮量を時系列に計測する１または複数の遊間幅計測部と
を備える、前記装置。
【請求項２】
遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／もしくは前記橋梁の橋桁と橋桁との継ぎ目においてそれぞれ設けられた略鉛直方向の遊間の実測伸縮量、または、時系列に計測した前記それぞれの遊間の幅の値に基づいて算出した前記それぞれの遊間の実測伸縮量とを対比し、前記算出した温度変化による前記橋梁の橋桁の理論伸縮量と前記計測または算出したそれぞれの遊間の実測伸縮量との相関関係の有無に基づいて、前記橋梁の橋台および／または橋脚の側方移動が発生しているか否かの判定を行い、前記判定に基づいて、前記橋梁の初期の施工不良であるか否かの診断、ならびに、前記橋梁の橋桁の橋台および／または橋脚の傾斜および／または変状が発生しているか否かの診断の、少なくともいずれかの診断を行う装置または前記診断に用いる装置であって、
前記橋梁および／またはその近傍に配設されて、気温および／または前記橋梁の橋桁の温度を時系列に計測する１または複数の温度計測部と、
前記それぞれの遊間を跨ぐように配設されて前記それぞれの遊間の実測伸縮量または幅を時系列に計測する１の遊間幅計測部と、
前記温度変化による前記橋梁の橋桁の理論伸縮量を算出するとともに、前記遊間幅計測部が前記それぞれの遊間の幅を時系列に計測する構成をとる場合に、前記計測したそれぞれの遊間の幅の値に基づいて前記それぞれの遊間の実測伸縮量を算出する１または複数の演算処理部と
を備える、前記装置。
【請求項３】
橋梁および／またはその近傍に配設されて、気温および／または前記橋梁の橋桁の温度を時系列に計測する１または複数の温度計測部と、
前記橋梁の橋桁と前記橋梁の橋台との接続部および／もしくは前記橋梁の橋桁と橋桁との継ぎ目においてそれぞれ設けられた略鉛直方向の遊間を跨ぐように配設されて、前記それぞれの遊間の実測伸縮量または幅を時系列に計測する１の遊間幅計測部と、
前記時系列に計測した気温および／または前記橋梁の橋桁の温度の変化量に基づいて、温度変化による前記橋梁の橋桁の理論伸縮量を算出するとともに、前記遊間幅計測部が前記それぞれの遊間の幅を時系列に計測する構成をとる場合に、前記計測したそれぞれの遊間の幅の値に基づいて前記それぞれの遊間の実測伸縮量を算出する１または複数の演算処理部と、
前記算出した温度変化による前記橋梁の橋桁の理論伸縮量と前記計測または算出したそれぞれの遊間の実測伸縮量との対比を行い、それらの相関関係の有無を確認して、前記橋梁の橋台および／または橋脚の側方移動が発生しているか否かの判定を行う１または複数の橋台・橋脚側方移動判定部と、
前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行う１または複数の橋台・橋脚傾斜変状診断部と
を備える、遊間異常を有する橋梁の診断装置または遊間異常を有する橋梁の診断に用いる装置。
【請求項４】
遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／または前記橋梁の橋桁と橋桁との継ぎ目においてそれぞれ設けられた略鉛直方向の遊間の実測伸縮量とを対比し、前記算出した温度変化による前記橋梁の橋桁の理論伸縮量と、前記計測したそれぞれの遊間の実測伸縮量との相関関係の有無に基づいて、前記橋梁の橋台および／または橋脚の側方移動が発生しているか否かの判定を行い、前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行うとともに、前記橋梁の橋桁と橋台との接続部および／または前記橋梁の橋桁と橋桁との継ぎ目におけるそれぞれの遊間の上部と下部の実測伸縮量を時系列に計測し、前記計測したそれぞれの遊間の上部と下部の実測伸縮量に基づいて、前記それぞれの遊間の上部と下部の実測伸縮量の比を算出して、前記算出した実測伸縮量の比に基づいて前記橋梁の橋桁および橋台における傾斜の有無を確認し、前記橋梁の橋台および／または橋脚における傾斜変状、ならびに、前記橋梁の橋桁と橋台との接続部および／または前記橋梁の橋桁と橋桁との継ぎ目における部分接触または接触の、少なくともいずれかが発生しているか否かの判定を行い、前記判定に基づいて、前記橋梁の橋台、前記橋台の杭基礎、前記橋台の直接基礎、前記橋脚のケーソン基礎、前記橋脚の杭基礎および／または前記橋脚の直接基礎が傾斜を伴う側方移動を生じているか否かの診断、ならびに、前記橋梁の支承および／または伸縮装置において損傷が発生しているか否かの診断の、少なくともいずれかの診断を行う装置または前記診断に用いる装置であって、
前記橋梁および／またはその近傍に配設されて、気温および／または前記橋梁の橋桁の温度を時系列に計測する１または複数の温度計測部と、
前記それぞれの遊間の少なくとも上部および下部を跨ぐように配設されて、前記それぞれの遊間の少なくとも上部および下部の実測伸縮量を時系列に計測する複数の遊間幅計測部と
を備える、前記装置。
【請求項５】
遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／もしくは前記橋梁の橋桁と橋桁との継ぎ目においてそれぞれ設けられた略鉛直方向の遊間の実測伸縮量、または、時系列に計測した前記それぞれの遊間の幅の値に基づいて算出した前記それぞれの遊間の実測伸縮量とを対比し、前記算出した温度変化による前記橋梁の橋桁の理論伸縮量と、前記計測または算出したそれぞれの遊間の実測伸縮量との相関関係の有無に基づいて、前記橋梁の橋台および／または橋脚の側方移動が発生しているか否かの判定を行い、前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行うとともに、時系列に計測した、前記橋梁の橋桁と橋台との接続部および／または前記橋梁の橋桁と橋桁との継ぎ目におけるそれぞれの遊間の上部と下部の実測伸縮量、または、時系列に計測した前記それぞれの遊間の上部と下部の幅の値に基づいて算出した前記それぞれの遊間の上部と下部の実測伸縮量に基づいて、前記それぞれの遊間の上部と下部の実測伸縮量の比を算出して、前記算出した実測伸縮量の比に基づいて前記橋梁の橋桁および橋台における傾斜の有無を確認し、前記橋梁の橋台および／または橋脚における傾斜変状、ならびに、前記橋梁の橋桁と橋台との接続部および／または前記橋梁の橋桁と橋桁との継ぎ目における部分接触または接触の、少なくともいずれかが発生しているか否かの判定を行い、前記判定に基づいて、前記橋梁の橋台、前記橋台の杭基礎、前記橋台の直接基礎、前記橋脚のケーソン基礎、前記橋脚の杭基礎および／または前記橋脚の直接基礎が傾斜を伴う側方移動を生じているか否かの診断、ならびに、前記橋梁の支承および／または伸縮装置において損傷が発生しているか否かの診断の、少なくともいずれかの診断を行う装置または前記診断に用いる装置であって、
前記橋梁および／またはその近傍に配設されて、気温および／または前記橋梁の橋桁の温度を時系列に計測する１または複数の温度計測部と、
前記それぞれの遊間の少なくとも上部および下部を跨ぐように配設されて、前記それぞれの遊間の少なくとも上部および下部の実測伸縮量または幅を時系列に計測する複数の遊間幅計測部と、前記温度変化による前記橋梁の橋桁の理論伸縮量を算出し、かつ、前記遊間幅計測部が前記それぞれの遊間の少なくとも上部および下部の幅を時系列に計測する構成をとる場合に、前記計測したそれぞれの遊間の少なくとも上部および下部の幅の値に基づいて前記それぞれの遊間の実測伸縮量を算出するとともに、前記計測したそれぞれの遊間の上部および下部の幅の値に基づいて前記それぞれの遊間の上部および下部の実測伸縮量を算出して、前記計測または算出したそれぞれの遊間の上部および下部の実測伸縮量に基づいて、前記それぞれの遊間の上部と下部の実測伸縮量の比を算出する複数の演算処理部と
を備える、前記装置。
【請求項６】
橋梁および／またはその近傍に配設されて、気温および／または前記橋梁の橋桁の温度を時系列に計測する１または複数の温度計測部と、
前記橋梁の橋桁と前記橋梁の橋台との接続部および／もしくは前記橋梁の橋桁と橋桁との継ぎ目においてそれぞれ設けられた略鉛直方向の遊間の少なくとも上部および下部を跨ぐように配設されて、前記それぞれの遊間の少なくとも上部および下部の実測伸縮量または幅を時系列に計測する複数の遊間幅計測部と、
前記計測した気温および／または前記橋梁の橋桁の温度の変化量に基づいて、温度変化による前記橋梁の橋桁の理論伸縮量を算出し、かつ、前記遊間幅計測部が前記それぞれの遊間の少なくとも上部および下部の幅を時系列に計測する構成をとる場合に、前記計測したそれぞれの遊間の少なくとも上部および下部の幅の値に基づいて前記それぞれの遊間の実測伸縮量を算出するとともに、前記計測したそれぞれの遊間の上部および下部の幅の値に基づいて前記それぞれの遊間の上部および下部の実測伸縮量を算出して、前記計測または算出したそれぞれの遊間の上部および下部の実測伸縮量に基づいて、前記それぞれの遊間の上部と下部の実測伸縮量の比を算出する複数の演算処理部と、
前記算出した温度変化による前記橋梁の橋桁の理論伸縮量と前記計測または算出した前記それぞれの遊間の実測伸縮量との対比を行い、それらの相関関係の有無を確認して、前記橋梁の橋台および／または橋脚の側方移動が発生しているか否かの判定を行う１または複数の橋台・橋脚側方移動判定部と、
前記算出した実測伸縮量の比に基づいて前記橋梁の橋桁および橋台における傾斜の有無を確認し、前記橋梁の橋台および／または橋脚における傾斜変状、ならびに、前記橋梁の橋桁と橋台との接続部および／または前記橋梁の橋桁と橋桁との継ぎ目における部分接触または接触の、少なくともいずれかが発生しているか否かの判定を行う１または複数の傾斜変状等発生判定部と、
前記それぞれの判定に基づいて、前記橋梁の初期の施工不良であるか否かの診断、前記橋梁の橋台および／または橋脚の傾斜および／または変状が発生しているか否かの診断、前記橋梁の橋台、前記橋台の杭基礎、前記橋台の直接基礎、前記橋脚のケーソン基礎、前記橋脚の杭基礎および／または前記橋脚の直接基礎が傾斜を伴う側方移動を生じているか否かの診断、ならびに、前記橋梁の支承および／または伸縮装置において損傷が発生しているか否かの診断の、少なくともいずれかの診断を行う１または複数の橋台・橋脚傾斜変状／傾斜側方移動・損傷診断部と
を備える、遊間異常を有する橋梁の診断装置または遊間異常を有する橋梁の診断に用いる装置。
【請求項７】
遊間異常を有する橋梁の診断方法であって、
気温および／または前記橋梁の橋桁の温度を時系列に計測して温度変化量を算出する温度変化量算出工程と、
前記算出した温度変化量と線膨張係数と前記橋梁の橋桁の伸縮桁長とに基づいて温度変化による前記橋梁の橋桁の理論伸縮量を算出する橋桁理論伸縮量算出工程と、
前記橋梁の橋桁と橋台との接続部および／または前記橋梁の橋桁と橋桁との継ぎ目においてそれぞれ設けられた略鉛直方向の遊間の実測伸縮量または幅を時系列に計測するとともに、前記それぞれの遊間の幅を計測した場合には、前記計測したそれぞれの遊間の幅に基づいて前記それぞれの遊間の実測伸縮量を算出する実測伸縮量計測・算出工程と、
前記算出した温度変化による前記橋梁の橋桁の理論伸縮量と前記計測または算出したそれぞれの遊間の実測伸縮量との対比を行い、前記温度変化による前記橋梁の橋桁の理論伸縮量および前記それぞれの遊間の実測伸縮量の相関関係の有無を確認して、前記橋梁の橋台および／または橋脚の側方移動が発生しているか否かの判定を行う橋台・橋脚側方移動判定工程と、
前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行う橋台・橋脚傾斜変状診断工程と
を有する、前記方法。
【請求項８】
遊間異常を有する橋梁の診断方法であって、
気温および／または前記橋梁の橋桁の温度を時系列に計測して温度変化量を算出する温度変化量算出工程と、
前記算出した温度変化量と線膨張係数と前記橋梁の橋桁の伸縮桁長とに基づいて温度変化による前記橋桁の理論伸縮量を算出する橋桁理論伸縮量算出工程と、
橋梁の橋桁と橋台との接続部および／または前記橋梁の橋桁と橋桁との継ぎ目においてそれぞれ設けられた略鉛直方向の遊間の実測伸縮量または幅を時系列に計測するとともに、前記それぞれの遊間の幅を計測した場合には、前記計測したそれぞれの遊間の幅に基づいて前記それぞれの遊間の実測伸縮量を算出する実測伸縮量計測・算出工程と、
前記算出した温度変化による前記橋梁の橋桁の理論伸縮量と前記計測または算出したそれぞれの遊間の実測伸縮量との対比を行い、前記温度変化による前記橋梁の橋桁の理論伸縮量および前記それぞれの遊間の実測伸縮量の相関関係の有無を確認して、前記橋梁の橋台および／または橋脚の側方移動が発生しているか否かの判定を行う橋台・橋脚側方移動判定工程と、
前記それぞれの遊間の上部と下部の実測伸縮量または幅を時系列に計測するとともに、前記それぞれの遊間の上部と下部の幅を計測した場合には、前記計測したそれぞれの遊間の上部と下部の幅の値に基づいて前記遊間の上部および下部の実測伸縮量を算出して、それぞれの遊間の上部の実測伸縮量と下部の実測伸縮量との比を算出し、前記算出した実測伸縮量の比に基づいて前記橋梁の橋桁および橋台における傾斜の有無を確認して、前記橋梁の橋台および／または橋脚の傾斜変状、ならびに、前記橋梁の橋桁と橋台との接続部および／または前記橋梁の橋桁と橋桁との継ぎ目における部分接触または接触の、少なくともいずれかが発生しているか否かの判定を行う傾斜変状等発生判定工程と、
前記それぞれの判定に基づいて、前記橋梁の初期の施工不良であるか否かの診断、前記橋梁の橋台および／または橋脚の傾斜および／または変状が発生しているか否かの診断、前記橋梁の橋台、前記橋台の杭基礎、前記橋台の直接基礎、前記橋脚のケーソン基礎、前記橋脚の杭基礎および／または前記橋脚の直接基礎が傾斜を伴う側方移動を生じているか否かの診断、ならびに、前記橋梁の支承および／または伸縮装置において損傷が発生しているか否かの診断の、少なくともいずれかの診断を行う橋台・橋脚傾斜変状／傾斜側方移動・損傷診断工程と
を有する、前記方法。
【発明の詳細な説明】
【技術分野】
【０００１】
本発明は、遊間異常を有する橋梁の診断装置、遊間異常を有する橋梁の診断に用いる装置および遊間異常を有する橋梁の診断方法に関する。
【背景技術】
【０００２】
橋梁において、橋桁は、季節の温度差やコンクリートの乾燥による収縮などの要因により伸縮を繰り返すため、橋桁と橋台との接続部や橋桁と橋桁との継ぎ目においては、橋軸方向に適当な間隔をおいて略鉛直方向の遊間が設けられて、当該橋桁の伸縮による変位を吸収している。また、橋桁には、橋脚との接続部や橋台との接続部には支承が配設されており、橋桁を固定する支承と橋桁が可動な支承を組み合わせて配設することにより、橋桁に対し想定外の軸力が生じないように対応している。
【０００３】
しかしながら、橋桁の伸縮如何に関わらず、例えば、橋梁の初期の施工不良、橋台の傾斜、橋台の傾斜を伴うまたは伴わない変状、橋脚の傾斜、橋脚の傾斜を伴うまたは伴わない変状、支承や伸縮装置の損傷、直接基礎や杭基礎、ケーソン基礎の傾斜を伴う側方移動などにより、橋桁と橋台との接続部あるいは橋桁と橋桁との継ぎ目における遊間が失われて、橋桁と橋台、あるいは橋桁と橋桁が接触し、橋桁に想定外の軸力が発生している橋梁が散見される。また、失われた遊間を確保するために、安易に遊間部の橋桁を切断してしまった結果、再度、橋脚や橋台に変状や傾斜が生じてしまい、再度遊間を失うという事例も報告されている。
【０００４】
すなわち、遊間が失われている原因が、橋桁の伸縮によるものなのか、はたまた、橋梁の初期の施工不良、橋台の傾斜、橋台の傾斜を伴うまたは伴わない変状、橋脚の傾斜、橋脚の傾斜を伴うまたは伴わない変状、支承や伸縮装置の損傷、直接基礎や杭基礎、ケーソン基礎の傾斜を伴う側方移動などによるものなのかは、外観の目視では見分けがつかない。
【０００５】
一方、従来、橋桁と橋台あるいは橋桁と橋脚との間の橋軸方向移動変位と橋軸直角方向移動変位とを計測して、橋桁と橋台あるいは橋桁と橋脚との間の相対移動量を算出する橋梁監視システム（特許文献１）、橋梁の伸縮ジョイント部の遊間を画像や段差測定部の傾斜角度変化などを測定するとともに、周辺温度を測定して、伸縮ジョイント部の遊間距離に対する管理を行う橋梁新築ジョイント部遊間測定装置（特許文献２）、および、橋梁のフィンガージョイント部の遊間におけるフェイスプレートの先端の変位と付け根部のひずみを常時計測するためのひずみ計測センサを有する、交通荷重による伸縮継手と橋梁本体の健全度を評価して、適切な時期に橋梁本体と伸縮継手のメンテナンスや取替え等を行えるようにした橋梁用伸縮継手システム（特許文献３）が存在する。特許文献１に開示されている橋梁監視システムは、各橋桁の相対移動量と当該各橋桁の所定の基準点における絶対座標とを算出することにより、橋桁の変状を把握するシステムであり、特許文献２に開示されている橋梁新築ジョイント部遊間測定装置は、移動車両に伸縮ジョイント部遊間測定装備を装着することにより、移動車両を利用して橋梁道路を走行する方式で橋梁の伸縮ジョイント部遊間を測定する装置であり、特許文献３に開示されている橋梁用伸縮継手システムは、道路橋の床版部に設置された伸縮継手の変状を、ひずみ計測センサや監視カメラを用いてモニタリングを行い、交通荷重による伸縮継手と橋梁本体の健全度を評価して、適切な時期に橋梁本体と伸縮継手のメンテナンスや取替え、さらには橋梁本体の架け替えを行うシステムである。
【先行技術文献】
【特許文献】
【０００６】
【特許文献１】特開２００７−１２０１７８号公報
【特許文献２】韓国登録特許第１０−１８７２４３１号公報
【特許文献３】特開２０１６−７５０９０号公報
【発明の概要】
【発明が解決しようとする課題】
【０００７】
しかしながら、上述した特許文献１に開示されている橋梁監視システムは、そもそも遊間異常を有する橋梁を診断する、または当該診断に用いるシステムではないうえ、当該システムでは、遊間が失われている原因または遊間が繰り返し失われる原因が、橋桁の収縮によるものなのか、はたまた、橋梁の初期の施工不良、橋台の傾斜、橋台の傾斜を伴うまたは伴わない変状、橋脚の傾斜、橋脚の傾斜を伴うまたは伴わない変状、支承や伸縮装置の損傷、直接基礎や杭基礎、ケーソン基礎の傾斜を伴う側方移動などによるものなのかを診断することができない。また、上述した特許文献２に開示されている橋梁新築ジョイント部遊間測定装置もまた、そもそも遊間異常を有する橋梁を診断する、または当該診断に用いる装置ではないうえ、当該装置は、移動車両に装着した伸縮ジョイント部遊間測定装備と温度センサとを備えているものの、温度センサにより伸縮ジョイント部の周辺温度を測定し、伸縮ジョイント部の遊間距離に対する管理をどのように行うのかが明らかにされておらず、やはり、遊間が失われている原因または遊間が繰り返し失われる原因が、橋桁の収縮によるものなのか、はたまた、橋梁の初期の施工不良、橋台の傾斜、橋台の傾斜を伴うまたは伴わない変状、橋脚の傾斜、橋脚の傾斜を伴うまたは伴わない変状、支承や伸縮装置の損傷、直接基礎や杭基礎、ケーソン基礎の傾斜を伴う側方移動などによるものなのかを診断することができない。また、上述した特許文献３に開示されている橋梁用伸縮継手システムもまた、そもそも遊間異常を有する橋梁を診断する、または当該診断に用いるシステムではないうえ、当該システムでは、道路橋の床版部に設置された伸縮継手の変状をひずみ計測センサや監視カメラによってモニタリングすることができるにとどまり、やはり、遊間が失われている原因または遊間が繰り返し失われる原因が、橋桁の収縮によるものなのか、はたまた、橋梁の初期の施工不良、橋台の傾斜、橋台の傾斜を伴うまたは伴わない変状、橋脚の傾斜、橋脚の傾斜を伴うまたは伴わない変状、支承や伸縮装置の損傷、直接基礎や杭基礎、ケーソン基礎の傾斜を伴う側方移動などによるものなのかを診断することができない。
【０００８】
そこで本発明は、上述した問題点を解決するためになされたものであり、外観の目視では見分けがつかない、遊間が失われている損傷に対して、橋梁の初期の施工不良であるか否かの診断、橋梁の橋台および／または橋脚の傾斜および／または変状が発生しているか否かの診断、橋梁の橋台、橋台の杭基礎、橋台の直接基礎、橋脚のケーソン基礎、橋脚の杭基礎および／または橋脚の直接基礎が傾斜を伴う側方移動を生じているか否かの診断、ならびに、支承および／または伸縮装置において損傷が発生しているか否かの診断の、少なくともいずれかの診断を行うことができる、遊間異常を有する橋梁の診断装置、遊間異常を有する橋梁の診断に用いる装置および遊間異常を有する橋梁の診断方法を提供することを目的とする。
【課題を解決するための手段】
【０００９】
本発明者は、鋭意研究の結果、遊間異常を有する橋梁において、時系列に計測した気温および／または前記橋梁の橋桁の温度の変化量に基づいて算出した、温度変化による前記橋梁の橋桁の理論伸縮量と、時系列に計測または算出した、前記橋梁の橋桁と前記橋梁の橋台との接続部おいて設けられた略鉛直方向の遊間の実測伸縮量、および／または、前記橋梁の橋桁と橋桁との継ぎ目においてそれぞれ設けられた略鉛直方向の遊間の実測伸縮量とを対比し、前記温度変化による前記橋梁の橋桁の理論伸縮量と前記それぞれの遊間の実測伸縮量との相関関係の有無に基づいて、前記橋梁の橋台および／または前記橋梁の橋脚の側方移動が発生しているか否かの判定を行い、前記判定に基づいて、前記橋梁の初期の施工不良であるか否かの診断、ならびに、前記橋梁の橋台および／または前記橋梁の橋脚の傾斜および／または変状が発生しているか否かの診断の、少なくともいずれかの診断を行うことができ、さらには、前記橋梁の橋桁と前記橋梁の橋台との接続部における遊間の上部の実測伸縮量と下部の実測伸縮量、および／もしくは前記橋梁の橋桁と橋桁との継ぎ目における遊間の上部の実測伸縮量と下部の実測伸縮量を時系列に計測し、前記時系列に計測したそれぞれの遊間の上部の実測伸縮量と下部の実測伸縮量に基づいて、前記それぞれの遊間の上部の実測伸縮量と下部の実測伸縮量との比を算出して、または、前記それぞれの遊間の上部の幅と下部の幅を時系列に計測し、前記時系列に計測したそれぞれの遊間の上部の幅の値と下部の幅の値に基づいて前記それぞれの遊間の上部の実測伸縮量と下部の実測伸縮量を算出するとともに、前記算出したそれぞれの遊間の上部の実測伸縮量と下部の実測伸縮量に基づいて、前記それぞれの遊間の上部の実測伸縮量と下部の実測伸縮量との比を算出して、前記橋梁の橋桁および前記橋梁の橋台における傾斜の有無を確認し、前記橋梁の橋台および／または前記橋梁の橋脚における傾斜変状、ならびに、前記橋梁の橋桁と前記橋梁の橋台との接続部および／または前記橋梁の橋桁と橋桁との継ぎ目における部分接触または接触の、少なくともいずれかが発生しているか否かの判定を行い、前記判定に基づいて、前記橋梁の橋台、前記橋梁の橋台の杭基礎、前記橋梁の橋台の直接基礎、前記橋梁の橋脚のケーソン基礎、前記橋梁の橋脚の杭基礎および／または前記橋梁の橋脚の直接基礎が傾斜を伴う側方移動を生じているか否かの診断、ならびに、前記橋梁の支承および／または前記橋梁の伸縮装置において損傷が発生しているか否かの診断の、少なくともいずれかの診断を行うことができることを見出し、下記の各発明を完成した。
【００１０】
（１）遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／または前記橋梁の橋桁と橋桁との継ぎ目においてそれぞれ設けられた略鉛直方向の遊間の実測伸縮量とを対比し、前記算出した温度変化による前記橋梁の橋桁の理論伸縮量と前記計測したそれぞれの遊間の実測伸縮量との相関関係の有無に基づいて、前記橋梁の橋台および／または橋脚の側方移動が発生しているか否かの判定を行い、前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行う装置または前記診断に用いる装置であって、前記橋梁および／またはその近傍に配設されて、気温および／または前記橋梁の橋桁の温度を時系列に計測する１または複数の温度計測部と、前記それぞれの遊間を跨ぐように配設されて前記それぞれの遊間の実測伸縮量を時系列に計測する１の遊間幅計測部とを備える、前記装置。
【００１１】
（２）遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／もしくは前記橋梁の橋桁と橋桁との継ぎ目においてそれぞれ設けられた略鉛直方向の遊間の実測伸縮量、または、時系列に計測した前記それぞれの遊間の幅の値に基づいて算出した前記それぞれの遊間の実測伸縮量とを対比し、前記算出した温度変化による前記橋梁の橋桁の理論伸縮量と前記計測または算出したそれぞれの遊間の実測伸縮量との相関関係の有無に基づいて、前記橋梁の橋台および／または橋脚の側方移動が発生しているか否かの判定を行い、前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行う装置または前記診断に用いる装置であって、前記橋梁および／またはその近傍に配設されて、気温および／または前記橋梁の橋桁の温度を時系列に計測する１または複数の温度計測部と、前記それぞれの遊間を跨ぐように配設されて前記それぞれの遊間の実測伸縮量または幅を時系列に計測する１の遊間幅計測部と、前記温度変化による前記橋梁の橋桁の理論伸縮量を算出するとともに、前記遊間幅計測部が前記それぞれの遊間の幅を時系列に計測する構成をとる場合に、前記計測したそれぞれの遊間の幅の値に基づいて前記それぞれの遊間の実測伸縮量を算出する１または複数の演算処理部とを備える、前記装置。
【００１２】
（３）橋梁および／またはその近傍に配設されて、気温および／または前記橋梁の橋桁の温度を時系列に計測する１または複数の温度計測部と、前記橋梁の橋桁と前記橋梁の橋台との接続部および／もしくは前記橋梁の橋桁と橋桁との継ぎ目においてそれぞれ設けられた略鉛直方向の遊間を跨ぐように配設されて、前記それぞれの遊間の実測伸縮量または幅を時系列に計測する１の遊間幅計測部と、前記時系列に計測した気温および／または前記橋梁の橋桁の温度の変化量に基づいて、温度変化による前記橋梁の橋桁の理論伸縮量を算出するとともに、前記遊間幅計測部が前記それぞれの遊間の幅を時系列に計測する構成をとる場合に、前記計測したそれぞれの遊間の幅の値に基づいて前記それぞれの遊間の実測伸縮量を算出する１または複数の演算処理部と、前記算出した温度変化による前記橋梁の橋桁の理論伸縮量と前記計測または算出したそれぞれの遊間の実測伸縮量との対比を行い、それらの相関関係の有無を確認して、前記橋梁の橋台および／または橋脚の側方移動が発生しているか否かの判定を行う１または複数の橋台・橋脚側方移動判定部と、前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行う１または複数の橋台・橋脚傾斜変状診断部とを備える、遊間異常を有する橋梁の診断装置または遊間異常を有する橋梁の診断に用いる装置。
【００１３】
（４）遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／または前記橋梁の橋桁と橋桁との継ぎ目においてそれぞれ設けられた略鉛直方向の遊間の実測伸縮量とを対比し、前記算出した温度変化による前記橋梁の橋桁の理論伸縮量と、前記計測したそれぞれの遊間の実測伸縮量との相関関係の有無に基づいて、前記橋梁の橋台および／または橋脚の側方移動が発生しているか否かの判定を行い、前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行うとともに、前記橋梁の橋桁と橋台との接続部および／または前記橋梁の橋桁と橋桁との継ぎ目におけるそれぞれの遊間の上部と下部の実測伸縮量を時系列に計測し、前記計測したそれぞれの遊間の上部と下部の実測伸縮量に基づいて、前記それぞれの遊間の上部と下部の実測伸縮量の比を算出して、前記算出した実測伸縮量の比に基づいて前記橋梁の橋桁および橋台における傾斜の有無を確認し、前記橋梁の橋台および／または橋脚における傾斜変状、ならびに、前記橋梁の橋桁と橋台との接続部および／または前記橋梁の橋桁と橋桁との継ぎ目における部分接触または接触の、少なくともいずれかが発生しているか否かの判定を行い、前記判定に基づいて、前記橋梁の橋台、前記橋台の杭基礎、前記橋台の直接基礎、前記橋脚のケーソン基礎、前記橋脚の杭基礎および／または前記橋脚の直接基礎が傾斜を伴う側方移動を生じているか否かの診断、ならびに、前記橋梁の支承および／または伸縮装置において損傷が発生しているか否かの診断の、少なくともいずれかの診断を行う装置または前記診断に用いる装置であって、前記橋梁および／またはその近傍に配設されて、気温および／または前記橋梁の橋桁の温度を時系列に計測する１または複数の温度計測部と、前記それぞれの遊間の少なくとも上部および下部を跨ぐように配設されて、前記それぞれの遊間の少なくとも上部および下部の実測伸縮量を時系列に計測する複数の遊間幅計測部とを備える、前記装置。
【００１４】
（５）遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／もしくは前記橋梁の橋桁と橋桁との継ぎ目においてそれぞれ設けられた略鉛直方向の遊間の実測伸縮量、または、時系列に計測した前記それぞれの遊間の幅の値に基づいて算出した前記それぞれの遊間の実測伸縮量とを対比し、前記算出した温度変化による前記橋梁の橋桁の理論伸縮量と、前記計測または算出したそれぞれの遊間の実測伸縮量との相関関係の有無に基づいて、前記橋梁の橋台および／または橋脚の側方移動が発生しているか否かの判定を行い、前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行うとともに、時系列に計測した、前記橋梁の橋桁と橋台との接続部および／または前記橋梁の橋桁と橋桁との継ぎ目におけるそれぞれの遊間の上部と下部の実測伸縮量、または、時系列に計測した前記それぞれの遊間の上部と下部の幅の値に基づいて算出した前記それぞれの遊間の上部と下部の実測伸縮量に基づいて、前記それぞれの遊間の上部と下部の実測伸縮量の比を算出して、前記算出した実測伸縮量の比に基づいて前記橋梁の橋桁および橋台における傾斜の有無を確認し、前記橋梁の橋台および／または橋脚における傾斜変状、ならびに、前記橋梁の橋桁と橋台との接続部および／または前記橋梁の橋桁と橋桁との継ぎ目における部分接触または接触の、少なくともいずれかが発生しているか否かの判定を行い、前記判定に基づいて、前記橋梁の橋台、前記橋台の杭基礎、前記橋台の直接基礎、前記橋脚のケーソン基礎、前記橋脚の杭基礎および／または前記橋脚の直接基礎が傾斜を伴う側方移動を生じているか否かの診断、ならびに、前記橋梁の支承および／または伸縮装置において損傷が発生しているか否かの診断の、少なくともいずれかの診断を行う装置または前記診断に用いる装置であって、前記橋梁および／またはその近傍に配設されて、気温および／または前記橋梁の橋桁の温度を時系列に計測する１または複数の温度計測部と、前記それぞれの遊間の少なくとも上部および下部を跨ぐように配設されて、前記それぞれの遊間の少なくとも上部および下部の実測伸縮量または幅を時系列に計測する複数の遊間幅計測部と、前記温度変化による前記橋梁の橋桁の理論伸縮量を算出し、かつ、前記遊間幅計測部が前記それぞれの遊間の少なくとも上部および下部の幅を時系列に計測する構成をとる場合に、前記計測したそれぞれの遊間の少なくとも上部および下部の幅の値に基づいて前記それぞれの遊間の実測伸縮量を算出するとともに、前記計測したそれぞれの遊間の上部および下部の幅の値に基づいて前記それぞれの遊間の上部および下部の実測伸縮量を算出して、前記計測または算出したそれぞれの遊間の上部および下部の実測伸縮量に基づいて、前記それぞれの遊間の上部と下部の実測伸縮量の比を算出する複数の演算処理部とを備える、前記装置。
【００１５】
（６）橋梁および／またはその近傍に配設されて、気温および／または前記橋梁の橋桁の温度を時系列に計測する１または複数の温度計測部と、前記橋梁の橋桁と前記橋梁の橋台との接続部および／もしくは前記橋梁の橋桁と橋桁との継ぎ目においてそれぞれ設けられた略鉛直方向の遊間の少なくとも上部および下部を跨ぐように配設されて、前記それぞれの遊間の少なくとも上部および下部の実測伸縮量または幅を時系列に計測する複数の遊間幅計測部と、前記計測した気温および／または前記橋梁の橋桁の温度の変化量に基づいて、温度変化による前記橋梁の橋桁の理論伸縮量を算出し、かつ、前記遊間幅計測部が前記それぞれの遊間の少なくとも上部および下部の幅を時系列に計測する構成をとる場合に、前記計測したそれぞれの遊間の少なくとも上部および下部の幅の値に基づいて前記それぞれの遊間の実測伸縮量を算出するとともに、前記計測したそれぞれの遊間の上部および下部の幅の値に基づいて前記それぞれの遊間の上部および下部の実測伸縮量を算出して、前記計測または算出したそれぞれの遊間の上部および下部の実測伸縮量に基づいて、前記それぞれの遊間の上部と下部の実測伸縮量の比を算出する複数の演算処理部と、前記算出した温度変化による前記橋梁の橋桁の理論伸縮量と前記計測または算出した前記それぞれの遊間の実測伸縮量との対比を行い、それらの相関関係の有無を確認して、前記橋梁の橋台および／または橋脚の側方移動が発生しているか否かの判定を行う１または複数の橋台・橋脚側方移動判定部と、前記算出した実測伸縮量の比に基づいて前記橋梁の橋桁および橋台における傾斜の有無を確認し、前記橋梁の橋台および／または橋脚における傾斜変状、ならびに、前記橋梁の橋桁と橋台との接続部および／または前記橋梁の橋桁と橋桁との継ぎ目における部分接触または接触の、少なくともいずれかが発生しているか否かの判定を行う１または複数の傾斜変状等発生判定部と、前記それぞれの判定に基づいて、前記橋梁の初期の施工不良であるか否かの診断、前記橋梁の橋台および／または橋脚の傾斜および／または変状が発生しているか否かの診断、前記橋梁の橋台、前記橋台の杭基礎、前記橋台の直接基礎、前記橋脚のケーソン基礎、前記橋脚の杭基礎および／または前記橋脚の直接基礎が傾斜を伴う側方移動を生じているか否かの診断、ならびに、前記橋梁の支承および／または伸縮装置において損傷が発生しているか否かの診断の、少なくともいずれかの診断を行う１または複数の橋台・橋脚傾斜変状／傾斜側方移動・損傷診断部とを備える、遊間異常を有する橋梁の診断装置または遊間異常を有する橋梁の診断に用いる装置。
【００１６】
（７）遊間異常を有する橋梁の診断方法であって、気温および／または前記橋梁の橋桁の温度を時系列に計測して温度変化量を算出する温度変化量算出工程と、前記算出した温度変化量と線膨張係数と前記橋梁の橋桁の伸縮桁長とに基づいて温度変化による前記橋梁の橋桁の理論伸縮量を算出する橋桁理論伸縮量算出工程と、前記橋梁の橋桁と橋台との接続部および／または前記橋梁の橋桁と橋桁との継ぎ目においてそれぞれ設けられた略鉛直方向の遊間の実測伸縮量または幅を時系列に計測するとともに、前記それぞれの遊間の幅を計測した場合には、前記計測したそれぞれの遊間の幅に基づいて前記それぞれの遊間の実測伸縮量を算出する実測伸縮量計測・算出工程と、前記算出した温度変化による前記橋梁の橋桁の理論伸縮量と前記計測または算出したそれぞれの遊間の実測伸縮量との対比を行い、前記温度変化による前記橋梁の橋桁の理論伸縮量および前記それぞれの遊間の実測伸縮量の相関関係の有無を確認して、前記橋梁の橋台および／または橋脚の側方移動が発生しているか否かの判定を行う橋台・橋脚側方移動判定工程と、前記判定に基づいて、前記橋梁の初期の施工不良であるか否かの診断、ならびに、前記橋梁の橋台および／または橋脚の傾斜および／または変状が発生しているか否かの診断の、少なくともいずれかの診断を行う橋台・橋脚傾斜変状診断工程とを有する、前記方法。
【００１７】
（８）遊間異常を有する橋梁の診断方法であって、気温および／または前記橋梁の橋桁の温度を時系列に計測して温度変化量を算出する温度変化量算出工程と、前記算出した温度変化量と線膨張係数と前記橋梁の橋桁の伸縮桁長とに基づいて温度変化による前記橋梁の橋桁の理論伸縮量を算出する橋桁理論伸縮量算出工程と、前記橋梁の橋桁と橋台との接続部および／または前記橋梁の橋桁と橋桁との継ぎ目においてそれぞれ設けられた略鉛直方向の遊間の実測伸縮量または幅を時系列に計測するとともに、前記それぞれの遊間の幅を計測した場合には、前記計測したそれぞれの遊間の幅に基づいて前記それぞれの遊間の実測伸縮量を算出する実測伸縮量計測・算出工程と、前記算出した温度変化による前記橋梁の橋桁の理論伸縮量と前記計測または算出したそれぞれの遊間の実測伸縮量との対比を行い、前記温度変化による前記橋梁の橋桁の理論伸縮量および前記それぞれの遊間の実測伸縮量の相関関係の有無を確認して、前記橋梁の橋台および／または橋脚の側方移動が発生しているか否かの判定を行う橋台・橋脚側方移動判定工程と、前記それぞれの遊間の上部と下部の実測伸縮量または幅を時系列に計測するとともに、前記それぞれの遊間の上部と下部の幅を計測した場合には、前記計測したそれぞれの遊間の上部と下部の幅の値に基づいて前記遊間の上部および下部の実測伸縮量を算出して、それぞれの遊間の上部の実測伸縮量と下部の実測伸縮量との比を算出し、前記算出した実測伸縮量の比に基づいて前記橋梁の橋桁および橋台における傾斜の有無を確認して、前記橋梁の橋台および／または橋脚における傾斜変状、ならびに、前記橋梁の橋桁と橋台との接続部および／または前記橋梁の橋桁と橋桁との継ぎ目における部分接触または接触の、少なくともいずれかが発生しているか否かの判定を行う傾斜変状等発生判定工程と、前記それぞれの判定に基づいて、前記橋梁の初期の施工不良であるか否かの診断、前記橋梁の橋台および／または橋脚の傾斜および／または変状が発生しているか否かの診断、前記橋梁の橋台、前記橋台の杭基礎、前記橋台の直接基礎、前記橋脚のケーソン基礎、前記橋梁の橋脚の杭基礎および／または前記橋梁の橋脚の直接基礎が傾斜を伴う側方移動を生じているか否かの診断、ならびに、前記橋梁の支承および／または伸縮装置において損傷が発生しているか否かの診断の、少なくともいずれかの診断を行う橋台・橋脚傾斜変状／傾斜側方移動・損傷診断工程とを有する、前記方法。
【発明の効果】
【００１８】
本発明に係る遊間異常を有する橋梁の診断装置、遊間異常を有する橋梁の診断に用いる装置および遊間異常を有する橋梁の診断方法によれば、橋梁の初期の施工不良であるか否かの診断、橋梁の橋台や橋脚において傾斜や変状が発生しているか否かの診断、橋梁の橋台や橋台の杭基礎、橋台の直接基礎、橋脚のケーソン基礎、橋脚の杭基礎、橋脚の直接基礎が傾斜を伴う側方移動を生じているか否かの診断、橋梁の支承や伸縮装置の損傷が発生しているか否かの診断の、少なくともいずれかの診断を行うことができ、特に、外観の目視では見分けがつかない橋梁の初期の施工不良、橋梁の橋台や橋脚における傾斜や変状の存否、橋梁の橋台や橋台の杭基礎、橋台の直接基礎、橋脚のケーソン基礎、橋脚の杭基礎、橋脚の直接基礎についての傾斜を伴う側方移動の存否、橋梁の支承や伸縮装置における損傷の存否についての診断を簡便かつ速やかに行うことができる。
【図面の簡単な説明】
【００１９】
【図１】橋梁３の橋桁３１と橋台３２との接続部において本第一実施形態の遊間異常を有する橋梁３の診断装置１または本第一実施形態の遊間異常を有する橋梁３の診断に用いる装置１が設置された場合の構成（ａ）と、橋梁３の橋桁３１と橋桁３１との継ぎ目において本第一実施形態の遊間異常を有する橋梁３の診断装置１または本第一実施形態の遊間異常を有する橋梁３の診断に用いる装置１が設置された場合の構成（ｂ）を示す図である。
【図２】算出した「温度変化による橋梁３の橋桁３１の理論伸縮量ΔＬｔ」と、計測または算出した「実測伸縮量ΔＬａ」との対比（ａ）を示すとともに、橋梁３の橋台３２および／または橋梁３の橋脚３５の側方移動が発生しているか否かの判定（ｂ）を示す図である。
【図３】橋梁３の橋桁３１と橋梁３の橋台３２との接続部において、本第一実施形態の遊間異常を有する橋梁３の診断装置１または本第一実施形態の遊間異常を有する橋梁３の診断に用いる装置１が設置され、さらに１または複数の演算処理部１３を備えた場合の構成（ａ）と、橋梁３の橋桁３１と橋桁３１との継ぎ目において、本第一実施形態の遊間異常を有する橋梁３の診断装置１または本第一実施形態の遊間異常を有する橋梁３の診断に用いる装置１が設置され、さらに１または複数の演算処理部１３を備えた場合の構成（ｂ）を示す図である。
【図４】橋梁３の橋桁３１と橋梁３の橋台３２との接続部において、本第一実施形態の遊間異常を有する橋梁３の診断装置１または本第一実施形態の遊間異常を有する橋梁３の診断に用いる装置１が設置され、さらに１または複数の演算処理部１３と、１または複数の橋台・橋脚側方移動判定部１４と、１または複数の橋台・橋脚傾斜変状診断部１５とを備えた場合の構成（ａ）と、橋梁３の橋桁３１と橋桁３１との継ぎ目において、本第一実施形態の遊間異常を有する橋梁３の診断装置１または本第一実施形態の遊間異常を有する橋梁３の診断に用いる装置１が設置され、さらに１または複数の演算処理部１３と、１または複数の橋台・橋脚側方移動判定部１４と、１または複数の橋台・橋脚傾斜変状診断部１５とを備えた場合の構成（ｂ）を示す図である。
【図５】橋梁３の橋桁３１と橋梁３の橋台３２との接続部において本第二実施形態の遊間異常を有する橋梁３の診断装置１または本第二実施形態の遊間異常を有する橋梁３の診断に用いる装置１が設置された場合の構成（ａ）と、橋梁３の橋桁３１と橋桁３１との継ぎ目において本第二実施形態の遊間異常を有する橋梁３の診断装置１または本第二実施形態の遊間異常を有する橋梁３の診断に用いる装置１が設置された場合の構成（ｂ）を示す図である。
【図６】橋梁３の橋桁３１と橋梁３の橋台３２との接続部において、本第二実施形態の遊間異常を有する橋梁３の診断装置１または本第二実施形態の遊間異常を有する橋梁３の診断に用いる装置１が設置され、さらに１または複数の演算処理部１３を備えた場合の構成（ａ）と、橋梁３の橋桁３１と橋桁３１との継ぎ目において、本第二実施形態の遊間異常を有する橋梁３の診断装置１または本第二実施形態の遊間異常を有する橋梁３の診断に用いる装置１が設置され、さらに１または複数の演算処理部１３を備えた場合の構成（ｂ）を示す図である。
【図７】算出した「温度変化による橋梁３の橋桁３１の理論伸縮量ΔＬｔ」および計測または算出した「実測伸縮量ΔＬａ」の対比（ａ）を示すとともに、それらの相関関係の有無を確認して、橋梁３の橋台３２および／または橋梁３の橋脚３５の側方移動が発生しているか否かの判定（ｂ）を示す図である。
【図８】橋梁３の橋桁３１と橋梁３の橋台３２との接続部において、本第二実施形態の遊間異常を有する橋梁３の診断装置１または本第二実施形態の遊間異常を有する橋梁３の診断に用いる装置１が設置され、さらに１または複数の演算処理部１３と、１または複数の橋台・橋脚側方移動判定部１４と、１または複数の傾斜変状等発生判定部１６と、１または複数の橋台・橋脚傾斜変状／傾斜側方移動・損傷診断部１７とを備えた場合の構成（ａ）と、橋梁３の橋桁３１と橋桁３１との継ぎ目において、本第二実施形態の遊間異常を有する橋梁３の診断装置１または本第二実施形態の遊間異常を有する橋梁３の診断に用いる装置１が設置され、さらに１または複数の演算処理部１３と、１または複数の橋台・橋脚側方移動判定部１４と、１または複数の傾斜変状等発生判定部１６と、１または複数の橋台・橋脚傾斜変状／傾斜側方移動・損傷診断部１７とを備えた場合の構成（ｂ）を示す図である。
【図９】本第一実施形態の遊間異常を有する橋梁３の診断方法Ｍの具体的な構成を示すステップ図である。
【図１０】本第二実施形態の遊間異常を有する橋梁３の診断方法Ｍの具体的な構成を示すステップ図である。
【図１１】北海道のある橋梁３の構造を示す図である。
【発明を実施するための形態】
【００２０】
以下、本発明に係る遊間異常を有する橋梁の診断装置、遊間異常を有する橋梁の診断に用いる装置、および遊間異常を有する橋梁の診断方法の実施形態について、図面を用いて詳細に説明する。先ずは、本発明に係る遊間異常を有する橋梁の診断装置および遊間異常を有する橋梁の診断に用いる装置の第一実施形態の構成について説明する。本第一実施形態の遊間異常を有する橋梁３の診断装置１および遊間異常を有する橋梁３の診断に用いる装置１は、遊間異常を有する橋梁３において、時系列に計測した気温および／または橋梁３の橋桁３１の温度の変化量に基づいて算出した、「温度変化による橋梁３の橋桁３１の理論伸縮量ΔＬｔ」と、時系列に計測した、橋梁３の橋桁３１と橋梁３の橋台３２との接続部および／もしくは橋梁３の橋桁３１と橋桁３１との継ぎ目においてそれぞれ設けられた略鉛直方向の遊間２の「実測伸縮量ΔＬａ」、または、時系列に計測した前記それぞれの遊間２の幅に基づいて算出した前記それぞれの遊間２の「実測伸縮量ΔＬａ」とを対比し、前記算出した「温度変化による橋梁３の橋桁３１の理論伸縮量ΔＬｔ」と前記計測または算出したそれぞれの遊間２の「実測伸縮量ΔＬａ」との相関関係の有無に基づいて、橋梁３の橋台３２および／または橋脚３５の側方移動が発生しているか否かの判定を行い、前記判定に基づいて、橋梁３の初期の施工不良であるか否かの診断、ならびに、橋梁３の橋台３２および／または橋梁３の橋脚３５の傾斜および／または変状が発生しているか否かの診断の、少なくともいずれかの診断を行う装置および前記診断に用いる装置であって、図１（ａ）および（ｂ）に示すように、１または複数の温度計測部１１と、１の遊間幅計測部１２とを備えている。以下、各構成について詳細に説明する。
【００２１】
本第一実施形態における温度計測部１１は、１つまたは複数備えられて、図１（ａ）および（ｂ）に示すように、橋梁３および／またはその近傍に配設されて、気温および／または橋梁３の橋桁３１の温度を時系列に計測する。本第一実施形態における温度計測部１１は、本発明の特徴を損なわない範囲において適宜選択が可能であり、その構成は特に限定されないが、気温または橋梁３の橋桁３１の温度の時系列な計測が可能な温度計や温度センサを有している態様が好適である。
【００２２】
また、本第一実施形態における遊間幅計測部１２は、１つ備えられて、図１（ａ）および（ｂ）に示すように、橋梁３の橋桁３１と橋梁３の橋台３２との接続部において設けられた略鉛直方向の遊間２を跨ぐように配設され（図１（ａ））、あるいは、橋梁３の橋桁３１と橋桁３１との継ぎ目において設けられた略鉛直方向の遊間２を跨ぐように配設されて（図１（ｂ））、それぞれ、遊間２の「実測伸縮量ΔＬａ」を時系列に計測する。本第一実施形態における遊間幅計測部１２は、本発明の特徴を損なわない範囲において適宜選択が可能であり、その構成は特に限定されないが、橋梁３の橋桁３１と橋梁３の橋台３２との接続部における略鉛直方向の遊間２を跨ぐように配設可能、あるいは橋梁３の橋桁３１と橋桁３１との継ぎ目における略鉛直方向の遊間２を跨ぐように配設可能であって、かつ遊間２の「実測伸縮量ΔＬａ」の時系列な計測が可能なデジタル変位計などの各種変位計や変位センサを有している態様が好適である。
【００２３】
本第一実施形態の遊間異常を有する橋梁３の診断装置１または遊間異常を有する橋梁３の診断に用いる装置１を用いた、橋梁３の初期の施工不良であるか否かの診断、ならびに、橋梁３の橋台３２および／または橋梁３の橋脚３５の傾斜および／または変状が発生しているか否かの診断の、少なくともいずれかの診断は、以下のように行う。
【００２４】
先ず、「温度変化による橋梁３の橋桁３１の理論伸縮量ΔＬｔ」を算出する。「温度変化による橋梁３の橋桁３１の理論伸縮量ΔＬｔ」は、例えば、温度計測部１１において時系列に計測した気温および／または橋梁３の橋桁３１の温度のデータに基づいて「温度変化量ΔＴ（℃）」を算出し、特に、時系列に計測した気温および／または橋梁３の橋桁３１の温度のデータから選択した、低温傾向にある温度データに基づいて「温度変化量ΔＴ（℃）」を算出し、続いて、前記算出した「温度変化量ΔＴ（℃）」と「線膨張係数α」と「橋桁３１の伸縮桁長Ｌ（ｍｍ）」とに基づいて算出する。そのような「温度変化による橋梁３の橋桁３１の理論伸縮量ΔＬｔ」は、下記の算出式に基づいて算出する。
【００２５】
ΔＬｔ＝ΔＴ×α×Ｌ
ΔＬｔ：温度変化による橋梁３の橋桁３１の理論伸縮量
ΔＴ：温度変化量（℃）
α：線膨張係数
Ｌ：橋桁３１の伸縮桁長（ｍｍ）
【００２６】
一方、遊間幅計測部１２においては、橋梁３の橋桁３１と橋梁３の橋台３２との接続部において設けられた略鉛直方向の遊間２の「実測伸縮量ΔＬａ」、あるいは橋梁３の橋桁３１と橋桁３１との継ぎ目において設けられた略鉛直方向の遊間２の「実測伸縮量ΔＬａ」を、時系列に計測する。
【００２７】
続いて、図２（ａ）に示すように、前記算出した「温度変化による橋梁３の橋桁３１の理論伸縮量ΔＬｔ」と、前記計測した「実測伸縮量ΔＬａ」との対比を行う。「温度変化による橋梁３の橋桁３１の理論伸縮量ΔＬｔ」と「実測伸縮量ΔＬａ」とを対比した結果、それらに相関関係が認められない場合は、図２（ｂ）に示すように、橋梁３の橋台３２および／または橋梁３の橋脚３５の側方移動が発生しているとの判定を行い、他方、「温度変化による橋梁３の橋桁３１の理論伸縮量ΔＬｔ」と「実測伸縮量ΔＬａ」とを対比した結果、それらに相関関係が認められる場合は、図２（ｂ）に示すように、橋梁３の橋台３２および橋梁３の橋脚３５の側方移動のいずれも発生していないとの判定を行う。
【００２８】
そして、図２（ｂ）に示すように、橋梁３の橋台３２および／または橋梁３の橋脚３５の側方移動が発生しているとの判定をした場合は、橋梁３の橋台３２および／または橋梁３の橋脚３５の傾斜および／または変状が発生しているとの診断を行い、他方、橋梁３の橋台３２および／または橋梁３の橋脚３５の側方移動が発生していないとの判定をした場合は、橋梁３の初期の施工不良であるとの診断を行う。
【００２９】
なお、橋梁３の橋台３２および／または橋梁３の橋脚３５の傾斜および／または変状の原因としては、基礎の変状（図示しない）、躯体の損傷（図示しない）、地盤の変動（図示しない）、地滑りの発生（図示しない）などを挙げることができる。
【００３０】
また、本第一実施形態の遊間異常を有する橋梁３の診断装置１および遊間異常を有する橋梁３の診断に用いる装置１は、図３（ａ）および（ｂ）に示すように、演算処理部１３を１つまたは複数備えてもよい。本第一実施形態における演算処理部１３は、図３（ａ）および（ｂ）に示すように、１または複数の温度計測部１１および１の遊間幅計測部１２と電気接続して、「温度変化による橋梁３の橋桁３１の理論伸縮量ΔＬｔ」を算出するとともに、遊間幅計測部１２が橋梁３の橋桁３１と橋梁３の橋台３２との接続部において設けられた略鉛直方向の遊間２の幅および／または橋梁３の橋桁３１と橋桁３１との継ぎ目において設けられた略鉛直方向の遊間２の幅を時系列に計測する構成をとる場合において、前記時系列に計測したそれぞれの遊間２の幅の値に基づいて「実測伸縮量ΔＬａ」を算出する。「温度変化による橋梁３の橋桁３１の理論伸縮量ΔＬｔ」は、例えば、温度計測部１１において時系列に計測した気温および／または橋梁３の橋桁３１の温度データに基づいて「温度変化量ΔＴ（℃）」を算出し、特に、時系列に計測した気温および／または橋梁３の橋桁３１の温度のデータから選択した、低温傾向にある温度データに基づいて「温度変化量ΔＴ（℃）」を算出し、続いて、前記算出した「温度変化量ΔＴ（℃）」と「線膨張係数α」と「橋桁３１の伸縮桁長Ｌ（ｍｍ）」とに基づいて算出する。一方、本第一実施形態における演算処理部１３が、前述したような「実測伸縮量ΔＬａ」を計測する構成をとる場合、「実測伸縮量ΔＬａ」は、遊間幅計測部１２において時系列に計測した、橋梁３の橋桁３１と橋梁３の橋台３２との接続部において設けられた略鉛直方向の遊間２の幅、あるいは、遊間幅計測部１２において時系列に計測した、橋梁３の橋桁３１と橋桁３１との継ぎ目において設けられた略鉛直方向の遊間２の幅に基づいて算出する。そのような演算処理部１３は、本発明の特徴を損なわない範囲において適宜選択が可能であり、その構成は特に限定されないが、例えば、図３（ａ）および（ｂ）に示すように、温度計測部１１および遊間幅計測部１２と電気接続する他、無線ネットワークを介して、遠隔地に設置されたコンピュータ（図示しない）として温度計測部１１および遊間幅計測部１２を制御自在に構成するとともに、温度計測部１１および遊間幅計測部１２から演算処理部１３たる前記コンピュータへ随時データを転送するように構成することができ、また、演算処理部門を設けて人員を配置し、手作業で対応するように構成して演算処理部１３とすることができる。
【００３１】
そして、図２（ａ）に示すように、前記算出した「温度変化による橋桁３１の理論伸縮量ΔＬｔ」および前記計測または算出した「実測伸縮量ΔＬａ」の対比を行い、それらの相関関係の有無を確認し、図２（ｂ）に示すように、橋梁３の橋台３２および／または橋梁３の橋脚３５の側方移動が発生しているか否かの判定を行い、前記判定に基づいて、橋梁３の初期の施工不良であるか否かの診断、ならびに、橋梁３の橋台３２および／または橋梁３の橋脚３５の傾斜および／または変状が発生しているか否かの診断の、少なくともいずれかの診断を行う。
【００３２】
また、本第一実施形態の遊間異常を有する橋梁３の診断装置１および遊間異常を有する橋梁３の診断に用いる装置１は、図４（ａ）および（ｂ）に示すように、橋台・橋脚側方移動判定部１４および橋台・橋脚傾斜変状診断部１５を、それぞれ１つまたは複数備えてもよい。本第一実施形態における橋台・橋脚側方移動判定部１４は、１つまたは複数備えられて、図２（ａ）に示すように、演算処理部１３において算出した「温度変化による橋梁３の橋桁３１の理論伸縮量ΔＬｔ」と、遊間幅計測部１２において計測し、または、演算処理部１３において算出した「実測伸縮量ΔＬａ」との対比を行い、それらの相関関係の有無を確認して、図２（ｂ）に示すように、橋梁３の橋台３２および／または橋梁３の橋脚３５の側方移動が発生しているか否かの判定を行う。そのような本第一実施形態の橋台・橋脚側方移動判定部１４は、本発明の特徴を損なわない範囲において適宜選択が可能であり、その構成は特に限定されないが、例えば、温度計測部１１や遊間幅計測部１２、演算処理部１３と電気接続する他、無線ネットワークを介して、遠隔地に設置されたコンピュータ（図示しない）として温度計測部１１や遊間幅計測部１２、演算処理部１３を制御自在に構成するとともに、温度計測部１１や遊間幅計測部１２、演算処理部１３から橋台・橋脚側方移動判定部１４たる前記コンピュータへ随時データを転送するように構成することができ、また、橋台・橋脚側方移動判定部門を設けて人員を配置し、手作業で対応するように構成して橋台・橋脚側方移動判定部１４とすることができる。
【００３３】
本第一実施形態における橋台・橋脚傾斜変状診断部１５は、１つまたは複数備えられて、橋台・橋脚側方移動判定部１４における判定結果に基づいて、橋梁３の初期の施工不良であるか否かの診断、ならびに、橋梁３の橋台３２および／または橋梁３の橋脚３５の傾斜および／または変状が発生しているか否かの診断の、少なくともいずれかの診断を行う。そのような本第一実施形態の橋台・橋脚傾斜変状診断部１５は、本発明の特徴を損なわない範囲において適宜選択が可能であり、その構成は特に限定されないが、例えば、図４（ａ）および（ｂ）に示すように、温度計測部１１や遊間幅計測部１２、演算処理部１３、橋台・橋脚側方移動判定部１４と電気接続する他、無線ネットワークを介して、遠隔地に設置されたコンピュータ（図示しない）として温度計測部１１や遊間幅計測部１２、演算処理部１３、橋台・橋脚側方移動判定部１４を制御自在に構成するとともに、温度計測部１１や遊間幅計測部１２、演算処理部１３、橋台・橋脚側方移動判定部１４から橋台・橋脚傾斜変状診断部１５たる前記コンピュータへ随時データを転送するように構成することができ、また、橋台・橋脚傾斜変状診断部門を設けて人員を配置し、手作業で対応するように構成して橋台・橋脚傾斜変状診断部１５とすることができる。
【００３４】
次に、本発明に係る遊間異常を有する橋梁の診断装置および遊間異常を有する橋梁の診断に用いる装置の第二実施形態の構成について説明する。なお、本第二実施形態の遊間異常を有する橋梁３の診断装置１および遊間異常を有する橋梁３の診断に用いる装置１のうち、上述した第一実施形態の遊間異常を有する橋梁３の診断装置１および遊間異常を有する橋梁３の診断に用いる装置１の構成と同一もしくは相当する構成については、同一の符号を付して再度の説明を省略することがある。本第二実施形態の遊間異常を有する橋梁３の診断装置１および遊間異常を有する橋梁３の診断に用いる装置１は、遊間異常を有する橋梁３において、時系列に計測した気温および／または橋梁３の橋桁３１の温度の変化量に基づいて算出した、「温度変化による橋梁３の橋桁３１の理論伸縮量ΔＬｔ」と、時系列に計測した、橋梁３の橋桁３１と橋梁３の橋台３２との接続部および／もしくは橋梁３の橋桁３１と橋桁３１との継ぎ目においてそれぞれ設けられた略鉛直方向の遊間２の「実測伸縮量ΔＬａ」、または、時系列に計測した前記それぞれの遊間２の幅の値に基づいて算出した「実測伸縮量ΔＬａ」とを対比し、前記算出した「温度変化による橋梁３の橋桁３１の理論伸縮量ΔＬｔ」と前記計測または算出したそれぞれの遊間２の「実測伸縮量ΔＬａ」との相関関係の有無に基づいて、橋梁３の橋台３２および／または橋梁３の橋脚３５の側方移動が発生しているか否かの判定を行い、前記判定に基づいて、橋梁３の初期の施工不良であるか否かの診断、ならびに、橋梁３の橋台３２および／または橋梁３の橋脚３５の傾斜および／または変状が発生しているか否かの診断の、少なくともいずれかの診断を行うとともに、時系列に計測した、橋梁３の橋桁３１と橋梁３の橋台３２との接続部および／または橋梁３の橋桁３１と橋桁３１との継ぎ目におけるそれぞれの遊間２の上部と下部の「実測伸縮量ΔＬａ」、または、時系列に計測した前記それぞれの遊間２の上部と下部の幅の値に基づいて算出した前記それぞれの遊間２の上部と下部の「実測伸縮量ΔＬａ」に基づいて、前記それぞれの遊間２の上部と下部の「実測伸縮量ΔＬａ」の比を算出して、前記算出した「実測伸縮量ΔＬａ」の比に基づいて橋梁３の橋桁３１および橋梁３の橋台３２における傾斜の有無を確認し、橋梁３の橋台３２および／または橋梁３の橋脚３５における傾斜変状、ならびに、橋梁３の橋桁３１と橋梁３の橋台３２との接続部および／または橋梁３の橋桁３１と橋桁３１との継ぎ目における部分接触または接触の、少なくともいずれかが発生しているか否かの判定を行い、前記判定に基づいて、橋梁３の橋台３２、橋梁３の橋台３２の杭基礎（図示しない）、橋梁３の橋台３２の直接基礎（図示しない）、橋梁３の橋脚３５のケーソン基礎（図示しない）、橋梁３の橋脚３５の杭基礎（図示しない）および／または橋梁３の橋脚３５の直接基礎（図示しない）が傾斜を伴う側方移動を生じているか否かの診断、ならびに、橋梁３の支承３４および／または橋梁３の伸縮装置（図示しない）において損傷が発生しているか否かの診断の、少なくともいずれかの診断を行う装置または前記診断に用いる装置であって、図５（ａ）および（ｂ）に示すように、１または複数の温度計測部１１と、複数の遊間幅計測部１２とを備えている。
【００３５】
本第二実施形態における温度計測部１１は、図５（ａ）および（ｂ）に示すように、１つまたは複数備えられ、橋梁３および／またはその近傍に配設されて、気温および／または橋梁３の橋桁３１の温度を時系列に計測する。そのような１または複数の温度計測部１１は、本第一実施形態における１または複数の温度計測部１１と同様に、本発明の特徴を損なわない範囲において適宜選択が可能であり、その構成は特に限定されない。
【００３６】
また、本第二実施形態における遊間幅計測部１２は、複数備えられて、図５（ａ）および（ｂ）に示すように、橋梁３の橋桁３１と橋梁３の橋台３２との接続部において設けられた略鉛直方向の遊間２の少なくとも上部および下部のそれぞれを跨ぐように配設（図５（ａ））、および／または、橋梁３の橋桁３１と橋桁３１との継ぎ目において設けられた略鉛直方向の遊間２の少なくとも上部および下部のそれぞれを跨ぐように配設されて（図５（ｂ））、それぞれ、遊間２の「実測伸縮量ΔＬａ」を時系列に計測する。なお、本第二実施形態における遊間幅計測部１２は、橋梁３の橋桁３１と橋梁３の橋台３２との接続部の上部と下部においてそれぞれ１つずつ、あるいは、橋梁３の橋桁３１と橋桁３１との継ぎ目の上部と下部においてそれぞれ１つずつ、それぞれ略鉛直方向の遊間２を跨ぐように配設されているが、少なくとも橋梁３の橋桁３１と橋梁３の橋台３２との接続部の上部と下部においてそれぞれ１つずつ、あるいは、少なくとも橋梁３の橋桁３１と橋桁３１との継ぎ目の上部と下部においてそれぞれ１つずつ、それぞれ略鉛直方向の遊間２を跨ぐように配設されていればよく、そのような本第二実施形態の遊間幅計測部１２は、本第一実施形態における遊間幅計測部１１と同様に、本発明の特徴を損なわない範囲において適宜選択が可能であり、その構成は特に限定されない。
【００３７】
本第二実施形態の遊間異常を有する橋梁３の診断装置１および遊間異常を有する橋梁３の診断に用いる装置１を用いた、橋梁３の初期の施工不良であるか否かの診断、ならびに、橋梁３の橋台３２および／または橋梁３の橋脚３５の傾斜および／または変状が発生しているか否かの診断の、少なくともいずれかの診断においても、第一実施形態の遊間異常を有する橋梁３の診断装置１および遊間異常を有する橋梁３の診断に用いる装置１と同様、温度計測部１１において時系列に計測した温度データ（ただし、低温傾向にある温度データに限られない。）に基づいて「温度変化量ΔＴ（℃）」を算出し、前記算出した「温度変化量ΔＴ（℃）」と「線膨張係数α」と「橋桁３１の伸縮桁長Ｌ（ｍｍ）」とに基づいて「温度変化による橋梁３の橋桁３１の理論伸縮量ΔＬｔ」を算出した後、遊間幅計測部１２において、橋梁３の橋桁３１と橋梁３の橋台３２との接続部において設けられた略鉛直方向の遊間２の「実測伸縮量ΔＬａ」を時系列に計測し、あるいは、遊間幅計測部１２において、橋梁３の橋桁３１と橋桁３１との継ぎ目において設けられた略鉛直方向の遊間２の「実測伸縮量ΔＬａ」を時系列に計測して、前記計測した「温度変化による橋梁３の橋桁３１の理論伸縮量ΔＬｔ」と、前記計測した「実測伸縮量ΔＬａ」との対比を行い、それらに相関関係が認められない場合は、橋梁３の橋台３２および／または橋梁３の橋脚３５の側方移動が発生しているとの判定を行い、その結果、橋梁３の橋台３２および／または橋梁３の橋脚３５の傾斜および／または変状が発生しているとの診断を行う。
【００３８】
しかしながら、本第二実施形態の遊間異常を有する橋梁３の診断装置１および遊間異常を有する橋梁３の診断に用いる装置１においては、上述および図５（ａ）および（ｂ）に示すように、遊間幅計測部１２が、少なくとも橋梁３の橋桁３１と橋梁３の橋台３２との接続部の上部と下部において１ずつ（図５（ａ））、あるいは、少なくとも橋梁３の橋桁３１と橋桁３１との継ぎ目の上部と下部において１ずつ（図５（ｂ））、それぞれ略鉛直方向の遊間２を跨ぐように複数配設されており、遊間幅計測部１２において時系列に計測した、橋梁３の橋桁３１と橋梁３の橋台３２との接続部における遊間２の上部の「実測伸縮量ΔＬａ」と下部の「実測伸縮量ΔＬａ」、あるいは、遊間幅計測部１２において時系列に計測した、橋梁３の橋桁３１と橋桁３１との継ぎ目における遊間２の上部の「実測伸縮量ΔＬａ」と下部の「実測伸縮量Ｌａ」に基づいて、それぞれの遊間２の上部と下部の「実測伸縮量ΔＬａ」の比を算出して、前記算出した「実測伸縮量ΔＬａ」の比に基づいて橋梁３の橋桁３１および橋梁３の橋台３２における傾斜の有無を確認し、橋梁３の橋台３２および／または橋梁３の橋脚３５における傾斜変状、ならびに、橋梁３の橋桁３１と橋梁３の橋台３２との接続部および／または橋梁３の橋桁３１と橋桁３１との継ぎ目における部分接触または接触の、少なくともいずれかが発生しているか否かの判定を行うことから、本第一実施形態の遊間異常を有する橋梁３の診断に用いる装置１による診断と比較して、より踏み込んだ診断をすることができるといえる。
【００３９】
従って、前記算出した「温度変化による橋梁３の橋桁３１の理論伸縮量ΔＬｔ」と、前記計測した「実測伸縮量ΔＬａ」とに相関関係が認められる場合であって、橋梁３の橋桁３１および／または橋梁３の橋台３２において傾斜が認められる場合には、橋梁３の橋桁３１と橋梁３の橋台３２との接続部および／または橋梁３の橋桁３１と橋桁３１との継ぎ目における部分接触が発生しているとの判定を行い、その結果、橋梁３の初期の施工不良であるとの診断、または、橋梁３の支承３４および伸縮装置（図示しない）の少なくともいずれかにおいて損傷が発生しているとの診断を行う。
【００４０】
一方、前記算出した「温度変化による橋梁３の橋桁３１の理論伸縮量ΔＬｔ」と、前記計測した「実測伸縮量ΔＬａ」とに相関関係が認められる場合であって、橋梁３の橋桁３１および／または橋梁３の橋台３２において傾斜が認められない場合には、橋梁３の橋台３２および橋梁３の橋脚３５の側方移動、ならびに、橋梁３の橋桁３１と橋梁３の橋台３２との接続部および橋梁３の橋桁３１と橋桁３１との継ぎ目における部分接触および接触の、いずれも発生していないとの判定を行い、その結果、橋梁３の初期の施工不良であるとの診断を行う。
【００４１】
他方、前記算出した「温度変化による橋梁３の橋桁３１の理論伸縮量ΔＬｔ」と、前記計測した「実測伸縮量ΔＬａ」とに相関関係が認められない場合であって、橋梁３の橋桁３１および／または橋梁３の橋台３２において傾斜が認められる場合には、橋梁３の橋台３２および／または橋梁３の橋脚３５の側方移動（この場合は前記傾斜が認められることから、傾斜を伴う側方移動）が発生しているとともに、橋梁３の橋台３２および／または橋梁３の橋脚３５の傾斜変状、ならびに、橋梁３の橋桁３１と橋台３２との接続部および／または橋梁３の橋桁３１と橋桁３１との継ぎ目における部分接触（この場合は前記傾斜が認められることから、接触ではなく部分接触）の、少なくともいずれかが発生しているとの判定を行い、前記判定に基づいて、橋梁３の橋台３２および／または橋梁３の橋脚３５の傾斜および／または変状が発生しているとの診断を行うとともに、橋梁３の橋台３２、橋梁３の橋台３２の杭基礎（図示しない）、橋梁３の橋台３２の直接基礎（図示しない）、橋梁３の橋脚３５のケーソン基礎（図示しない）、橋梁３の橋脚３５の杭基礎（図示しない）および橋梁３の橋脚３５の直接基礎（図示しない）の傾斜を伴う側方移動、ならびに、橋梁３の支承３４および伸縮装置（図示しない）の損傷の、少なくともいずれかが発生しているとの診断を行う。
【００４２】
そして、前記算出した「温度変化による橋梁３の橋桁３１の理論伸縮量ΔＬｔ」と、前記計測した「実測伸縮量ΔＬａ」とに相関関係が認められない場合であって、橋梁３の橋桁３１および／または橋梁３の橋台３２において傾斜が認められない場合には、橋梁３の橋台３２および／または橋梁３の橋脚３５の側方移動（この場合は傾斜を伴わない側方移動、すなわち平行移動）が発生しているとともに、橋梁３の橋桁３１と橋梁３の橋台３２との接続部および／または橋梁３の橋桁３１と橋桁３１との継ぎ目において接触（この場合は前記傾斜が認められないことから、部分接触ではなく接触）が発生しているとの判定を行い、その結果、橋梁３の橋台３２および／または橋梁３の橋脚３５の（傾斜を伴わない）変状が発生しているとの診断を行う。
【００４３】
なお、橋梁３の橋台３２、橋梁３の橋台３２の杭基礎（図示しない）、橋梁３の橋台３２の直接基礎（図示しない）、橋梁３の橋脚３５のケーソン基礎（図示しない）、橋梁３の橋脚３５の杭基礎（図示しない）および橋梁３の橋脚３５の直接基礎（図示しない）の少なくともいずれかの、傾斜を伴う側方移動の原因としては、基礎の変状（図示しない）、躯体の損傷（図示しない）、地盤の変動（図示しない）、地滑りの発生（図示しない）などを挙げることができる。
【００４４】
また、本第二実施形態の遊間異常を有する橋梁３の診断装置１および遊間異常を有する橋梁３の診断に用いる装置１は、図６（ａ）および（ｂ）に示すように、演算処理部１３を１つまたは複数備えてもよい。本第二実施形態における演算処理部１３は、図６（ａ）および（ｂ）に示すように、温度計測部１１および遊間幅計測部１２と電気接続して、「温度変化による橋梁３の橋桁３１の理論伸縮量ΔＬｔ」を算出し、遊間幅計測部１２が橋梁３の橋桁３１と橋梁３の橋台３２との接続部において設けられた略鉛直方向の遊間２の幅および／または橋梁３の橋桁３１と橋桁３１との継ぎ目において設けられた略鉛直方向の遊間２の少なくとも上部および下部の幅を時系列に計測する構成をとる場合において、それぞれの遊間２の少なくとも上部の「実測伸縮量ΔＬａ」および下部の「実測伸縮量ΔＬａ」を算出するとともに、それぞれの遊間２における上部の「実測伸縮量ΔＬａ」と下部の「実測伸縮量ΔＬａ」との比を算出する。「温度変化による橋梁３の橋桁３１の理論伸縮量ΔＬｔ」は、例えば、温度計測部１１において時系列に計測した気温および／または橋梁３の橋桁３１の温度データ（ただし、低温傾向にある温度データに限られない。）に基づいて「温度変化量ΔＴ（℃）」を算出し、前記算出した「温度変化量ΔＴ（℃）」と「線膨張係数α」と「橋桁３１の伸縮桁長Ｌ（ｍｍ）」とに基づいて算出する。一方、本第二実施形態における演算処理部１３が、上述したような、それぞれの遊間２の少なくとも上部および下部の幅を時系列に計測する構成をとる場合、それぞれの遊間２の少なくとも上部および下部の幅の値に基づいてそれぞれの遊間２の少なくとも上部および下部の「実測伸縮量ΔＬａ」を算出し、前記計測または算出したそれぞれの遊間２の少なくとも上部および下部の「実測伸縮量ΔＬａ」に基づいて、橋梁３の橋桁３１と橋台３２との接続部の遊間２における上部の「実測伸縮量ΔＬａ」と下部の「実測伸縮量ΔＬａ」との比、および／または、橋梁３の橋桁３１と橋桁３１との継ぎ目の遊間２における上部の「実測伸縮量ΔＬａ」と下部の「実測伸縮量ΔＬａ」との比を算出する。そのような本第二実施形態の演算処理部１３は、本第一実施形態における演算処理部１３と同様に、本発明の特徴を損なわない範囲において適宜選択が可能であり、その構成は特に限定されない。
【００４５】
そして、図２（ａ）に示すように、先ず、前記算出した「温度変化による橋梁３の橋桁３１の理論伸縮量ΔＬｔ」および前記計測または算出した「実測伸縮量ΔＬａ」の対比を行い、それらの相関関係の有無を確認し、図２（ｂ）に示すように、橋梁３の橋台３２および／または橋梁３の橋脚３５の側方移動が発生しているか否かの判定を行い、前記判定に基づいて、橋梁３の初期の施工不良であるか否かの診断、ならびに、橋梁３の橋台３２および／または橋梁３の橋脚３５の傾斜および／または変状が発生しているか否かの診断の、少なくともいずれかの診断を行うとともに、図７（ａ）に示すように、算出したそれぞれの遊間２の上部の「実測伸縮量ΔＬａ」と下部の「実測伸縮量ΔＬａ」との比に基づいて橋梁３の橋桁３１および橋梁３の橋台３２における傾斜の有無を確認し、図７（ｂ）に示すように、例えば、橋梁３の橋台３２および／または橋梁３の橋脚３５の傾斜変状、ならびに、橋梁３の橋桁３１と橋梁３の橋台３２との接続部および／または橋梁３の橋桁３１と橋桁３１との継ぎ目における部分接触または接触の、少なくともいずれかが発生しているか否かの判定を行い、前記判定に基づいて、橋梁３の橋台３２、橋梁３の橋台３２の杭基礎（図示しない）、橋梁３の橋台３２の直接基礎（図示しない）、橋梁３の橋脚３５のケーソン基礎（図示しない）、橋梁３の橋脚３５の杭基礎（図示しない）および／または橋梁３の橋脚３５の直接基礎（図示しない）が傾斜を伴う側方移動を生じているか否かの診断、ならびに、橋梁３の支承３４および／または橋梁３の伸縮装置（図示しない）において損傷が発生しているか否かの診断の、少なくともいずれかの診断を行う。
【００４６】
次に、本第二実施形態の遊間異常を有する橋梁３の診断装置１および遊間異常を有する橋梁３の診断に用いる装置１は、図８（ａ）および（ｂ）に示すように、橋台・橋脚側方移動判定部１４、傾斜変状等発生判定部１６および橋台・橋脚傾斜変状／傾斜側方移動・損傷診断部１７を、それぞれ１つまたは複数備えてもよい。本第二実施形態における橋台・橋脚側方移動判定部１４は、１つまたは複数備えられて、図２（ａ）に示すように、演算処理部１３において算出した「温度変化による橋梁３の橋桁３１の理論伸縮量ΔＬｔ」と、遊間幅計測部１２において計測し、または、演算処理部１３において算出した「実測伸縮量ΔＬａ」との対比を行い、それらの相関関係の有無を確認して、図２（ｂ）に示すように、橋梁３の橋台３２および／または橋梁３の橋脚３５の側方移動が発生しているか否かの判定を行う。そのような本第二実施形態の橋台・橋脚側方移動判定部１４は、本発明の特徴を損なわない範囲において適宜選択が可能であり、その構成は特に限定されないが、例えば、温度計測部１１や遊間幅計測部１２、演算処理部１３と電気接続する他、無線ネットワークを介して、遠隔地に設置されたコンピュータ（図示しない）として温度計測部１１や遊間幅計測部１２、演算処理部１３を制御自在に構成するとともに、温度計測部１１や遊間幅計測部１２、演算処理部１３から橋台・橋脚側方移動判定部１４たる前記コンピュータへ随時データを転送するように構成することができ、また、橋台・橋脚側方移動判定部門を設けて人員を配置し、手作業で対応するように構成して橋台・橋脚側方移動判定部１４とすることができる。
【００４７】
本第二実施形態における傾斜変状等発生判定部１６は、１つまたは複数備えられて、図７（ａ）に示すように、遊間幅計測部１２において計測し、または、演算処理部１３において算出したそれぞれの遊間２の上部の「実測伸縮量ΔＬａ」と下部の「実測伸縮量ΔＬａ」との比に基づいて橋梁３の橋桁３１および橋梁３の橋台３２における傾斜の有無を確認し、図７（ｂ）に示すように、橋梁３の橋台３２および／または橋梁３の橋脚３５の傾斜変状、ならびに、橋梁３の橋桁３１と橋梁３の橋台３２との接続部および／または橋梁３の橋桁３１と橋桁３１との継ぎ目における部分接触または接触の、少なくともいずれかが発生しているか否かの判定を行う。そのような本第二実施形態の傾斜変状等発生判定部１６は、本発明の特徴を損なわない範囲において適宜選択が可能であり、その構成は特に限定されないが、例えば、温度計測部１１や遊間幅計測部１２、演算処理部１３、橋台・橋脚側方移動判定部１４と電気接続する他、無線ネットワークを介して、遠隔地に設置されたコンピュータ（図示しない）として温度計測部１１や遊間幅計測部１２、演算処理部１３、橋台・橋脚側方移動判定部１４を制御自在に構成するとともに、温度計測部１１や遊間幅計測部１２、演算処理部１３、橋台・橋脚側方移動判定部１４から傾斜変状等発生判定部１６たる前記コンピュータへ随時データを転送するように構成することができ、また、傾斜変状等発生判定部門を設けて人員を配置し、手作業で対応するように構成して傾斜変状等発生判定部１６とすることができる。
【００４８】
本第二実施形態における橋台・橋脚傾斜変状／傾斜側方移動・損傷診断部１７は、１つまたは複数備えられて、橋台・橋脚側方移動判定部１４における判定結果に基づいて、橋梁３の初期の施工不良であるか否かの診断、ならびに、橋梁３の橋台３２および／または橋梁３の橋脚３５の傾斜および／または変状が発生しているか否かの診断の、少なくともいずれかの診断を行うとともに、傾斜変状等発生判定部１６における判定に基づいて、橋梁３の橋台３２、橋梁３の橋台３２の杭基礎（図示しない）、橋梁３の橋台３２の直接基礎（図示しない）、橋梁３の橋脚３５のケーソン基礎（図示しない）、橋梁３の橋脚３５の杭基礎（図示しない）および／または橋梁３の橋脚３５の直接基礎（図示しない）が傾斜を伴う側方移動を生じているか否かの診断、ならびに、橋梁３の支承３４および／または橋梁３の伸縮装置（図示しない）において損傷が発生しているか否かの診断の、少なくともいずれかの診断を行う。そのような橋台・橋脚傾斜変状／傾斜側方移動・損傷診断部１７は、本発明の特徴を損なわない範囲において適宜選択が可能であり、その構成は特に限定されないが、例えば、図８（ａ）および（ｂ）に示すように、温度計測部１１や遊間幅計測部１２、演算処理部１３、橋台・橋脚側方移動判定部１４、傾斜変状等発生判定部１６と電気接続する他、無線ネットワークを介して、遠隔地に設置されたコンピュータ（図示しない）として温度計測部１１や遊間幅計測部１２、演算処理部１３、橋台・橋脚側方移動判定部１４、傾斜変状等発生判定部１６を制御自在に構成するとともに、温度計測部１１や遊間幅計測部１２、演算処理部１３、橋台・橋脚側方移動判定部１４、傾斜変状等発生判定部１６から橋台・橋脚傾斜変状／傾斜側方移動・損傷診断部１７たる前記コンピュータへ随時データを転送するように構成することができ、また、橋台・橋脚傾斜変状／傾斜側方移動・損傷診断部門を設けて人員を配置し、手作業で対応するように構成して橋台・橋脚傾斜変状／傾斜側方移動・損傷診断部１７とすることができる。
【００４９】
次に、本発明に係る遊間異常を有する橋梁の診断方法の第一実施形態の構成について説明する。なお、本第一実施形態の遊間異常を有する橋梁３の診断方法Ｍのうち、上述した第一実施形態および第二実施形態の遊間異常を有する橋梁３の診断装置１および遊間異常を有する橋梁３の診断に用いる装置１の各構成と同一もしくは相当する構成については、同一の符号を付して再度の説明を省略する。本第一実施形態の遊間異常を有する橋梁３の診断方法Ｍは、図９に示すように、温度変化量算出工程Ｓ１と、橋桁理論伸縮量算出工程Ｓ２と、実測伸縮量計測・算出工程Ｓ３と、橋台・橋脚側方移動判定工程Ｓ４と、橋台・橋脚傾斜変状診断工程Ｓ５とを有する。
【００５０】
本第一実施形態の遊間異常を有する橋梁３の診断方法Ｍにおける温度変化量算出工程Ｓ１は、気温および／または橋梁３の橋桁３１の温度を時系列に計測して「温度変化量ΔＴ（℃）」を算出する工程、特に、時系列に計測した気温および／または橋梁３の橋桁３１の温度のデータから選択した、低温傾向にある温度データに基づいて「温度変化量ΔＴ（℃）」を算出する工程であり、本第一実施形態の遊間異常を有する橋梁３の診断方法Ｍにおける橋桁理論伸縮量算出工程Ｓ２は、前記算出した「温度変化量ΔＴ（℃）」と「線膨張係数α」と「橋桁３１の伸縮桁長Ｌ（ｍｍ）」とに基づいて「温度変化による橋梁３橋桁３１の理論伸縮量ΔＬｔ」を算出する工程であり、本第一実施形態の遊間異常を有する橋梁３の診断方法Ｍにおける実測伸縮量計測・算出工程Ｓ３は、橋梁３の橋桁３１と橋梁３の橋台３２との接続部において設けられた略鉛直方向の遊間２の「実測伸縮量ΔＬａ」を時系列に計測するか、橋梁３の橋桁３１と橋桁３１との継ぎ目において設けられた略鉛直方向の遊間２の「実測伸縮量ΔＬａ」を時系列に計測するか、橋梁３の橋桁３１と橋梁３の橋台３２との接続部において設けられた略鉛直方向の遊間２の幅を時系列に計測して前記時系列に計測した遊間２の幅の値に基づいて「実測伸縮量ΔＬａ」を算出するか、あるいは橋梁３の橋桁３１と橋桁３１との継ぎ目において設けられた略鉛直方向の遊間２の幅を時系列に計測して前記時系列に計測した遊間２の幅の値に基づいて「実測伸縮量ΔＬａ」を算出する工程であり、本第一実施形態の遊間異常を有する橋梁３の診断方法Ｍにおける橋台・橋脚側方移動判定工程Ｓ４は、前記算出した「温度変化による橋梁３橋桁３１の理論伸縮量ΔＬｔ」と、前記計測または算出したそれぞれの遊間２の「実測伸縮量ΔＬａ」との対比を行い、前記「温度変化による橋梁３橋桁３１の理論伸縮量ΔＬｔ」と前記それぞれの遊間２の「実測伸縮量ΔＬａ」との相関関係の有無を確認して、橋梁３の橋台３２および／または橋梁３橋脚３５の側方移動が発生しているか否かの判定を行う工程であり、本第一実施形態の遊間異常を有する橋梁３の診断方法Ｍにおける橋台・橋脚傾斜変状診断工程Ｓ５は、前記判定に基づいて、橋梁３の初期の施工不良であるか否かの診断、ならびに、橋梁３の橋台３２および／または橋梁３橋脚３５の傾斜および／または変状が発生しているか否かの診断の、少なくともいずれかの診断を行う工程である。各工程Ｓ１〜Ｓ５の詳細な内容については、第一実施形態および第二実施形態の遊間異常を有する橋梁３の診断装置１および遊間異常を有する橋梁３の診断に用いる装置１の各構成について述べた通りである。
【００５１】
次に、本発明に係る遊間異常を有する橋梁の診断方法の第二実施形態の構成について説明する。なお、本第二実施形態の遊間異常を有する橋梁３の診断方法Ｍのうち、上述した、第一実施形態および第二実施形態の遊間異常を有する橋梁３の診断装置１および遊間異常を有する橋梁３の診断に用いる装置１の各構成、ならびに第一実施形態の遊間異常を有する橋梁３の診断方法Ｍの構成と同一もしくは相当する構成については、同一の符号を付して再度の説明を省略する。本第二実施形態の遊間異常を有する橋梁３の診断方法Ｍは、図１０に示すように、温度変化量算出工程Ｓ１と、橋桁理論伸縮量算出工程Ｓ２と、実測伸縮量計測・算出工程Ｓ３と、橋台・橋脚側方移動判定工程Ｓ４と、傾斜変状等発生判定工程Ｓ６と、橋台・橋脚傾斜変状／傾斜側方移動・損傷診断工程Ｓ７とを有する。
【００５２】
本第二実施形態の遊間異常を有する橋梁３の診断方法Ｍにおける傾斜変状等発生判定工程Ｓ６は、橋梁３の橋桁３１と橋梁３の橋台３２との接続部において設けられた略鉛直方向の遊間２における上部の「実測伸縮量ΔＬａ」と下部の「実測伸縮量ΔＬａ」を時系列に計測するか、橋梁３の橋桁３１と橋桁３１との継ぎ目において設けられた略鉛直方向の遊間２における上部の「実測伸縮量ΔＬａ」と下部の「実測伸縮量ΔＬａ」を時系列に計測するか、橋梁３の橋桁３１と橋梁３の橋台３２との接続部において設けられた略鉛直方向の遊間２における上部の幅と下部の幅を時系列に計測して、前記計測した遊間２の上部の幅の値および下部の幅の値に基づいて前記遊間２の上部の「実測伸縮量ΔＬａ」および下部の「実測伸縮量ΔＬａ」を算出するか、あるいは、橋梁３の橋桁３１と橋桁３１との継ぎ目において設けられた略鉛直方向の遊間２の上部の幅と下部の幅を時系列に計測して、前記計測した遊間２の上部の幅の値および下部の幅の値に基づいて前記遊間２の上部の「実測伸縮量ΔＬａ」および下部の「実測伸縮量ΔＬａ」を算出して、前記計測または算出したそれぞれの遊間２の上部の「実測伸縮量ΔＬａ」と下部の「実測伸縮量ΔＬａ」との比を算出し、前記算出したそれぞれの遊間２の上部の「実測伸縮量ΔＬａ」と下部の「実測伸縮量ΔＬａ」との比に基づいて橋梁３の橋桁３１および橋台３２における傾斜の有無を確認して、橋梁３の橋台３２および／または橋梁３の橋脚３５の傾斜変状、ならびに、橋梁３の橋桁３１と橋台３２との接続部または橋梁３の橋桁３１と橋桁３１との継ぎ目における部分接触または接触の、少なくともいずれかが発生しているか否かの判定を行う工程であり、本第二実施形態の遊間異常を有する橋梁３の診断方法Ｍにおける橋台・橋脚傾斜変状／傾斜側方移動・損傷診断工程Ｓ７は、前記それぞれの判定に基づいて、橋梁３の初期の施工不良であるか否かの診断、橋梁３の橋台３２および／または橋梁３の橋脚３５の傾斜および／または変状が発生しているか否かの診断、橋梁３の橋台３２、橋梁３の橋台３２の杭基礎（図示しない）、橋梁３の橋台３２の直接基礎（図示しない）、橋梁３の橋脚３５のケーソン基礎（図示しない）、橋梁３の橋脚３５の杭基礎（図示しない）および／または橋梁３の橋脚３５の直接基礎（図示しない）が傾斜を伴う側方移動を生じているか否かの診断、ならびに、橋梁３の支承３４および／または橋梁３の伸縮装置（図示しない）において損傷が発生しているか否かの診断の、少なくともいずれかの診断を行う工程である。各工程Ｓ６およびＳ７の詳細な内容については、第一実施形態および第二実施形態の遊間異常を有する橋梁３の診断装置１および遊間異常を有する橋梁３の診断に用いる装置１、ならびに、第一実施形態の遊間異常を有する橋梁３の診断方法の各構成について述べた通りである。
【００５３】
以上のような遊間異常を有する橋梁３の診断装置１および遊間異常を有する橋梁３の診断に用いる装置１の第一実施形態、遊間異常を有する橋梁３の診断装置１および遊間異常を有する橋梁３の診断に用いる装置１の第二実施形態、遊間異常を有する橋梁３の診断方法Ｍの第一実施形態、ならびに、遊間異常を有する橋梁３の診断方法Ｍの第二実施形態によれば、以下の効果を得ることができる。
１．橋梁３の初期の施工不良であるか否かの診断、橋梁３の橋台３２および／または橋梁３の橋脚３５の傾斜および／または変状が発生しているか否かの診断、橋梁３の橋台３２、橋梁３の橋台３２の杭基礎、橋梁３の橋台３２の直接基礎、橋梁３の橋脚３５のケーソン基礎、橋梁３の橋脚３５の杭基礎および／または橋梁３の橋脚３５の直接基礎が傾斜を伴う側方移動を生じているか否かの診断、ならびに、橋梁３の支承３４および／または伸縮装置において損傷が発生しているか否かの診断の、少なくともいずれかの診断を正確に行うことができる。
２．前記１．および２．の診断の結果、その原因として、基礎の変状、躯体の損傷、地盤の変動、地滑りの発生などを追求することができる。
３．本第一実施形態および本第二実施形態の遊間異常を有する橋梁３の診断装置１、本第一実施形態および本第二実施形態の遊間異常を有する橋梁３の診断に用いる装置１、ならびに、本第一実施形態および本第二実施形態の遊間異常を有する橋梁３の診断方法Ｍの構成がシンプルであるため、上述した診断を簡便に、速やかに、かつ正確に行うことができる。
【００５４】
なお、本発明に係る遊間異常を有する橋梁の診断装置、遊間異常を有する橋梁の診断に用いる装置および遊間異常を有する橋梁の診断方法は、上述した各実施形態に限定されるものではなく、本発明の特徴を損なわない範囲において、適宜変更することができる。例えば、上述した各実施形態や構成以外の構成を、本発明の特徴を損なわない範囲において、適宜採用することができる。
【００５５】
以下、本発明に係る遊間異常を有する橋梁の診断装置、遊間異常を有する橋梁の診断に用いる装置および遊間異常を有する橋梁の診断方法について、実施例に基づいて説明する。なお、本発明の技術的範囲は、これらの実施例によって示される特徴に限定されない。
【実施例】
【００５６】
＜実施例＞北海道のある橋梁３に対し、本第一実施形態および本第二実施形態の遊間異常を有する橋梁３の計測診断装置１、本第一実施形態および本第二実施形態の遊間異常を有する橋梁３の診断に用いる装置１、ならびに、本第一実施形態および本第二実施形態の遊間異常を有する橋梁３の診断方法Ｍを用いて診断を実施した。なお、当該橋梁３の診断は、冬季に実施した。当該橋梁３の構造を図１１に示す。図１１中、「Ｆｉｘ」は「固定」を意味し、「Ｍｏｖ」は「可動」を意味する。その結果を下掲の表１に示す。
【００５７】
［表１］
2020094475.tif 000003
【００５８】
表１に示すように、橋梁３のＡ１橋台３２と橋梁３の橋桁３１との遊間２についての診断により、橋梁３の橋台３２、橋梁３の橋台３２の杭基礎が傾斜を伴う側方移動を生じている、あるいは、橋梁３の支承３４および／または橋梁３の伸縮装置において損傷が発生しているか否かが明らかとなり、橋梁３のＰ２橋脚３５における橋梁３の橋桁３１と橋桁３１との遊間２についての診断により、橋梁３の初期の施工不良か否か、橋梁３の橋脚３５の傾斜および／または変状が発生しているか否か、橋梁３の橋脚３５のケーソン基礎が傾斜を伴う側方移動を生じている、あるいは、橋梁３の支承３４および／または橋梁３の伸縮装置において損傷が発生しているか否かが明らかとなり、橋梁３のＡ２橋台３２と橋梁３の橋桁３１との遊間２についての診断により、橋梁３の初期の施工不良か否かが明らかとなった。
【符号の説明】
【００５９】
１    橋梁の診断装置または橋梁の診断に用いる装置
２    遊間
３    橋梁
１１  温度計測部
１２  遊間幅計測部
１３  演算処理部
１４  橋台・橋脚側方移動判定部
１５  橋台・橋脚傾斜変状診断部
１６  傾斜変状等発生判定部
１７  橋台・橋脚傾斜変状／傾斜側方移動・損傷診断部
３１  橋桁
３２  橋台
３３  床版
３４  支承
３５  橋脚
Ｍ    橋梁の診断方法
Ｓ１  温度変化量算出工程
Ｓ２  橋桁理論伸縮量算出工程
Ｓ３  実測伸縮量計測・算出工程
Ｓ４  橋台・橋脚側方移動判定工程
Ｓ５  橋台・橋脚傾斜変状診断工程
Ｓ６  傾斜変状等発生判定工程
Ｓ７  橋台・橋脚傾斜変状／傾斜側方移動・損傷診断工程
【図１】
2020094475.tif 000004
【図２】
2020094475.tif 000005
【図３】
2020094475.tif 000006
【図４】
2020094475.tif 000007
【図５】
2020094475.tif 000008
【図６】
2020094475.tif 000009
【図７】
2020094475.tif 000010
【図８】
2020094475.tif 000011
【図９】
2020094475.tif 000012
【図１０】
2020094475.tif 000013
【図１１】
2020094475.tif 000014
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／または前記橋梁の橋桁と橋桁との継ぎ目においてそれぞれ設けられた略鉛直方向の遊間の実測伸縮量とを対比し、前記算出した温度変化による前記橋梁の橋桁の理論伸縮量と前記計測したそれぞれの遊間の実測伸縮量に相関関係が認められない場合は、前記橋梁の橋台および／または橋脚の側方移動が発生しているとの判定を行い、前記判定に基づいて、前記橋梁の橋台および／または橋脚の傾斜および／または変状が発生しているとの診断を行い、前記相関関係が認められる場合は、前記橋梁の橋台および橋脚の側方移動のいずれも発生していないとの判定を行い、前記判定に基づいて、前記橋梁の初期の施工不良であるとの診断を行う装置または前記診断に用いる装置であって、
前記橋梁および／またはその近傍に配設されて、気温および／または前記橋梁の橋桁の温度を時系列に計測する１または複数の温度計測部と、
前記それぞれの遊間を跨ぐように配設されて前記それぞれの遊間の実測伸縮量を時系列に計測する１または複数の遊間幅計測部と
を備える、前記装置。
【請求項２】
遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／もしくは前記橋梁の橋桁と橋桁との継ぎ目においてそれぞれ設けられた略鉛直方向の遊間の実測伸縮量、または、時系列に計測した前記それぞれの遊間の幅の値に基づいて算出した前記それぞれの遊間の実測伸縮量とを対比し、前記算出した温度変化による前記橋梁の橋桁の理論伸縮量と前記計測または算出したそれぞれの遊間の実測伸縮量に相関関係が認められない場合は、前記橋梁の橋台および／または橋脚の側方移動が発生しているとの判定を行い、前記判定に基づいて、前記橋梁の橋台および／または橋脚の傾斜および／または変状が発生しているとの診断を行い、前記相関関係が認められる場合は、前記橋梁の橋台および橋脚の側方移動のいずれも発生していないとの判定を行い、前記判定に基づいて、前記橋梁の初期の施工不良であるとの診断を行う装置または前記診断に用いる装置であって、
前記橋梁および／またはその近傍に配設されて、気温および／または前記橋梁の橋桁の温度を時系列に計測する１または複数の温度計測部と、
前記それぞれの遊間を跨ぐように配設されて前記それぞれの遊間の実測伸縮量または幅を時系列に計測する１の遊間幅計測部と、
前記温度変化による前記橋梁の橋桁の理論伸縮量を算出するとともに、前記遊間幅計測部が前記それぞれの遊間の幅を時系列に計測する構成をとる場合に、前記計測したそれぞれの遊間の幅の値に基づいて前記それぞれの遊間の実測伸縮量を算出する１または複数の演算処理部と
を備える、前記装置。
【請求項３】
橋梁および／またはその近傍に配設されて、気温および／または前記橋梁の橋桁の温度を時系列に計測する１または複数の温度計測部と、
前記橋梁の橋桁と前記橋梁の橋台との接続部および／もしくは前記橋梁の橋桁と橋桁との継ぎ目においてそれぞれ設けられた略鉛直方向の遊間を跨ぐように配設されて、前記それぞれの遊間の実測伸縮量または幅を時系列に計測する１の遊間幅計測部と、
前記時系列に計測した気温および／または前記橋梁の橋桁の温度の変化量に基づいて、温度変化による前記橋梁の橋桁の理論伸縮量を算出するとともに、前記遊間幅計測部が前記それぞれの遊間の幅を時系列に計測する構成をとる場合に、前記計測したそれぞれの遊間の幅の値に基づいて前記それぞれの遊間の実測伸縮量を算出する１または複数の演算処理部と、
前記算出した温度変化による前記橋梁の橋桁の理論伸縮量と前記計測または算出したそれぞれの遊間の実測伸縮量との対比を行い、それらに相関関係が認められない場合は、前記橋梁の橋台および／または橋脚の側方移動が発生しているとの判定を行い、前記相関関係が認められる場合は、前記橋梁の橋台および橋脚の側方移動のいずれも発生していないとの判定を行う１または複数の橋台・橋脚側方移動判定部と、
前記橋梁の橋台および／または橋脚の側方移動が発生しているとの判定に基づいて、前記橋梁の橋台および／または橋脚の傾斜および／または変状が発生しているとの診断を行い、前記橋梁の橋台および橋脚の側方移動のいずれも発生していないとの判定に基づいて、前記橋梁の初期の施工不良であるとの診断を行う１または複数の橋台・橋脚傾斜変状診断部と
を備える、遊間異常を有する橋梁の診断装置または遊間異常を有する橋梁の診断に用いる装置。
【請求項４】
遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／または前記橋梁の橋桁と橋桁との継ぎ目においてそれぞれ設けられた略鉛直方向の遊間の実測伸縮量とを対比し、前記算出した温度変化による前記橋梁の橋桁の理論伸縮量と、前記計測したそれぞれの遊間の実測伸縮量とに相関関係が認められる場合であって、前記橋梁の橋桁と橋台との接続部および／または前記橋梁の橋桁と橋桁との継ぎ目におけるそれぞれの遊間の上部と下部の実測伸縮量を時系列に計測し、前記計測したそれぞれの遊間の上部と下部の実測伸縮量に基づいて、前記それぞれの遊間の上部と下部の実測伸縮量の比を算出して、前記算出した実測伸縮量の比に基づいて前記橋梁の橋桁および橋台において傾斜が認められる場合には、前記橋梁の橋桁と橋台との接続部および／または前記橋梁の橋桁と橋桁との継ぎ目における部分接触が発生しているとの判定を行い、前記判定に基づいて、前記橋梁の初期の施工不良であるか否かの診断、または、前記橋梁の支承および／または伸縮装置において損傷が発生しているとの診断を行い、前記相関関係が認められる場合であって、前記傾斜が認められない場合には、前記橋梁の橋台および橋脚の側方移動、ならびに、前記橋梁の橋桁と橋台との接続部および／または前記橋梁の橋桁と橋桁との継ぎ目における部分接触または接触の、いずれも発生していないとの判定を行い、前記判定に基づいて、前記橋梁の初期の施工不良であるとの診断を行い、前記相関関係が認められない場合であって、前記傾斜が認められる場合には、前記橋梁の橋台および／または橋脚の側方移動が発生しているとともに、前記橋梁の橋台および／または橋脚における傾斜変状、ならびに、前記橋梁の橋桁と橋台との接続部および／または前記橋梁の橋桁と橋桁との継ぎ目における部分接触の、少なくともいずれかが発生しているとの判定を行い、前記判定に基づいて、前記橋梁の橋台および／または橋脚における傾斜および／または変状が発生しているとの診断を行うとともに、前記橋梁の橋台、前記橋台の杭基礎、前記橋台の直接基礎、前記橋脚のケーソン基礎、前記橋脚の杭基礎および／または前記橋脚の直接基礎の傾斜を伴う側方移動、ならびに、前記橋梁の支承および／または伸縮装置における損傷の、少なくともいずれかが発生しているとの診断を行い、前記相関関係が認められない場合であって、前記傾斜が認められない場合には、前記橋梁の橋台および／または橋脚の側方移動が発生しているとともに、前記橋梁の橋桁と橋台との接続部および／または前記橋梁の橋桁と橋桁との継ぎ目において接触が発生しているとの判定を行い、前記判定に基づいて、前記橋梁の橋台および／または橋脚の変状が発生しているとの診断を行う装置または前記診断に用いる装置であって、
前記橋梁および／またはその近傍に配設されて、気温および／または前記橋梁の橋桁の温度を時系列に計測する１または複数の温度計測部と、
前記それぞれの遊間の少なくとも上部および下部を跨ぐように配設されて、前記それぞれの遊間の少なくとも上部および下部の実測伸縮量を時系列に計測する複数の遊間幅計測部と
を備える、前記装置。
【請求項５】
遊間異常を有する橋梁において、時系列に計測した気温および／または前記橋梁の橋桁の温度の変化量に基づいて算出した、温度変化による前記橋梁の橋桁の理論伸縮量と、時系列に計測した、前記橋梁の橋桁と前記橋梁の橋台との接続部および／もしくは前記橋梁の橋桁と橋桁との継ぎ目においてそれぞれ設けられた略鉛直方向の遊間の実測伸縮量、または、時系列に計測した前記それぞれの遊間の幅の値に基づいて算出した前記それぞれの遊間の実測伸縮量とを対比し、前記算出した温度変化による前記橋梁の橋桁の理論伸縮量と、前記計測または算出したそれぞれの遊間の実測伸縮量とに相関関係が認められる場合であって、時系列に計測した、前記橋梁の橋桁と橋台との接続部および／または前記橋梁の橋桁と橋桁との継ぎ目におけるそれぞれの遊間の上部と下部の実測伸縮量、または、時系列に計測した前記それぞれの遊間の上部と下部の幅の値に基づいて算出した前記それぞれの遊間の上部と下部の実測伸縮量に基づいて、前記それぞれの遊間の上部と下部の実測伸縮量の比を算出して、前記算出した実測伸縮量の比に基づいて前記橋梁の橋桁および橋台において傾斜が認められる場合には、前記橋梁の橋桁と橋台との接続部および／または前記橋梁の橋桁と橋桁との継ぎ目における部分接触が発生しているとの判定を行い、前記判定に基づいて、前記橋梁の初期の施工不良であるか否かの診断、または、前記橋梁の支承および／または伸縮装置において損傷が発生しているとの診断を行い、前記相関関係が認められる場合であって、前記傾斜が認められない場合には、前記橋梁の橋台および橋脚の側方移動、ならびに、前記橋梁の橋桁と橋台との接続部および／または前記橋梁の橋桁と橋桁との継ぎ目における部分接触または接触の、いずれも発生していないとの判定を行い、前記判定に基づいて、前記橋梁の初期の施工不良であるとの診断を行い、前記相関関係が認められない場合であって、前記傾斜が認められる場合には、前記橋梁の橋台および／または橋脚の側方移動が発生しているとともに、前記橋梁の橋台および／または橋脚における傾斜変状、ならびに、前記橋梁の橋桁と橋台との接続部および／または前記橋梁の橋桁と橋桁との継ぎ目における部分接触の、少なくともいずれかが発生しているとの判定を行い、前記判定に基づいて、前記橋梁の橋台および／または橋脚における傾斜および／または変状が発生しているとの診断を行うとともに、前記橋梁の橋台、前記橋台の杭基礎、前記橋台の直接基礎、前記橋脚のケーソン基礎、前記橋脚の杭基礎および／または前記橋脚の直接基礎の傾斜を伴う側方移動、ならびに、前記橋梁の支承および／または伸縮装置における損傷の、少なくともいずれかが発生しているとの診断を行い、前記相関関係が認められない場合であって、前記傾斜が認められない場合には、前記橋梁の橋台および／または橋脚の側方移動が発生しているとともに、前記橋梁の橋桁と橋台との接続部および／または前記橋梁の橋桁と橋桁との継ぎ目において接触が発生しているとの判定を行い、前記判定に基づいて、前記橋梁の橋台および／または橋脚の変状が発生しているとの診断を行う装置または前記診断に用いる装置であって、
前記橋梁および／またはその近傍に配設されて、気温および／または前記橋梁の橋桁の温度を時系列に計測する１または複数の温度計測部と、
前記それぞれの遊間の少なくとも上部および下部を跨ぐように配設されて、前記それぞれの遊間の少なくとも上部および下部の実測伸縮量または幅を時系列に計測する複数の遊間幅計測部と、前記温度変化による前記橋梁の橋桁の理論伸縮量を算出し、かつ、前記遊間幅計測部が前記それぞれの遊間の少なくとも上部および下部の幅を時系列に計測する構成をとる場合に、前記計測したそれぞれの遊間の少なくとも上部および下部の幅の値に基づいて前記それぞれの遊間の実測伸縮量を算出するとともに、前記計測したそれぞれの遊間の上部および下部の幅の値に基づいて前記それぞれの遊間の上部および下部の実測伸縮量を算出して、前記計測または算出したそれぞれの遊間の上部および下部の実測伸縮量に基づいて、前記それぞれの遊間の上部と下部の実測伸縮量の比を算出する複数の演算処理部と
を備える、前記装置。
【請求項６】
橋梁および／またはその近傍に配設されて、気温および／または前記橋梁の橋桁の温度を時系列に計測する１または複数の温度計測部と、
前記橋梁の橋桁と前記橋梁の橋台との接続部および／もしくは前記橋梁の橋桁と橋桁との継ぎ目においてそれぞれ設けられた略鉛直方向の遊間の少なくとも上部および下部を跨ぐように配設されて、前記それぞれの遊間の少なくとも上部および下部の実測伸縮量または幅を時系列に計測する複数の遊間幅計測部と、
前記計測した気温および／または前記橋梁の橋桁の温度の変化量に基づいて、温度変化による前記橋梁の橋桁の理論伸縮量を算出し、かつ、前記遊間幅計測部が前記それぞれの遊間の少なくとも上部および下部の幅を時系列に計測する構成をとる場合に、前記計測したそれぞれの遊間の少なくとも上部および下部の幅の値に基づいて前記それぞれの遊間の実測伸縮量を算出するとともに、前記計測したそれぞれの遊間の上部および下部の幅の値に基づいて前記それぞれの遊間の上部および下部の実測伸縮量を算出して、前記計測または算出したそれぞれの遊間の上部および下部の実測伸縮量に基づいて、前記それぞれの遊間の上部と下部の実測伸縮量の比を算出する複数の演算処理部と、
前記算出した温度変化による前記橋梁の橋桁の理論伸縮量と前記計測または算出した前記それぞれの遊間の実測伸縮量との対比を行い、それらに相関関係が認められない場合は、前記橋梁の橋台および／または橋脚の側方移動が発生しているとの判定を行い、前記相関関係が認められる場合は、前記橋梁の橋台および橋脚の側方移動のいずれも発生していないとの判定を行う１または複数の橋台・橋脚側方移動判定部と、
前記算出した実測伸縮量の比に基づいて前記橋梁の橋桁および橋台において傾斜が認められる場合には、前記橋梁の橋桁と橋台との接続部および／または前記橋梁の橋桁と橋桁との継ぎ目において部分接触が発生しているとの判定を行い、前記傾斜が認められない場合には、前記橋梁の橋桁と橋台との接続部および前記橋梁の橋桁と橋桁との継ぎ目において、部分接触および接触のいずれも発生していないか、または、前記橋梁の橋桁と橋台との接続部および／または前記橋梁の橋桁と橋桁との継ぎ目において接触が発生しているとの判定を行う１または複数の傾斜変状等発生判定部と、
前記橋梁の橋桁と橋台との接続部および／または前記橋梁の橋桁と橋桁との継ぎ目における部分接触が発生しているとの判定に基づいて、前記橋梁の初期の施工不良であるとの診断、または、前記橋梁の支承および伸縮装置の少なくともいずれかにおいて損傷が発生しているとの診断を行い、前記橋梁の橋台および橋脚の側方移動、ならびに、前記橋梁の橋桁と橋台との接続部および前記橋梁の橋桁と橋桁との継ぎ目における部分接触および接触の、いずれも発生していないとの判定に基づいて、前記橋梁の初期の施工不良であるとの診断を行い、前記橋梁の橋台および／または橋脚の側方移動が発生しているとともに、前記橋梁の橋台および／または橋脚の傾斜変状、ならびに、前記橋梁の橋桁と橋台との接続部および／または前記橋梁の橋桁と橋桁との継ぎ目における部分接触の、少なくともいずれかが発生しているとの判定に基づいて、前記橋梁の橋台および／または橋脚の傾斜および／または変状が発生しているとの診断と、前記橋梁の橋台、前記橋台の杭基礎、前記橋台の直接基礎、前記橋脚のケーソン基礎、前記橋脚の杭基礎および前記橋脚の直接基礎の傾斜を伴う側方移動、ならびに、前記橋梁の支承および伸縮装置の損傷の、少なくともいずれかが発生しているとの診断とを行い、前記橋梁の橋台および／または橋脚の側方移動が発生しているとともに、前記橋梁の橋桁と橋台との接続部および／または前記橋梁の橋桁と橋桁との継ぎ目において接触が発生しているとの判定に基づいて、前記橋梁の橋台および／または橋脚の傾斜を伴わない変状が発生しているとの診断を行う１または複数の橋台・橋脚傾斜変状／傾斜側方移動・損傷診断部と
を備える、遊間異常を有する橋梁の診断装置または遊間異常を有する橋梁の診断に用いる装置。
【請求項７】
遊間異常を有する橋梁の診断方法であって、
気温および／または前記橋梁の橋桁の温度を時系列に計測して温度変化量を算出する温度変化量算出工程と、
前記算出した温度変化量と線膨張係数と前記橋梁の橋桁の伸縮桁長とに基づいて温度変化による前記橋梁の橋桁の理論伸縮量を算出する橋桁理論伸縮量算出工程と、
前記橋梁の橋桁と橋台との接続部および／または前記橋梁の橋桁と橋桁との継ぎ目においてそれぞれ設けられた略鉛直方向の遊間の実測伸縮量または幅を時系列に計測するとともに、前記それぞれの遊間の幅を計測した場合には、前記計測したそれぞれの遊間の幅に基づいて前記それぞれの遊間の実測伸縮量を算出する実測伸縮量計測・算出工程と、
前記算出した温度変化による前記橋梁の橋桁の理論伸縮量と前記計測または算出したそれぞれの遊間の実測伸縮量との対比を行い、前記温度変化による前記橋梁の橋桁の理論伸縮量および前記それぞれの遊間の実測伸縮量に相関関係が認められない場合は、前記橋梁の橋台および／または橋脚の側方移動が発生しているかとの判定を行い、前記相関関係が認められる場合は、前記橋梁の橋台および橋脚の側方移動のいずれも発生していないとの判定を行う橋台・橋脚側方移動判定工程と、
前記橋梁の橋台および／または橋脚の側方移動が発生しているとの判定に基づいて、前記橋梁の橋台および／または橋脚の傾斜および／または変状が発生しているとの診断を行い、前記橋梁の橋台および橋脚の側方移動のいずれも発生していないとの判定に基づいて、前記橋梁の初期の施工不良であるとの診断を行う橋台・橋脚傾斜変状診断工程と
を有する、前記方法。
【請求項８】
遊間異常を有する橋梁の診断方法であって、
気温および／または前記橋梁の橋桁の温度を時系列に計測して温度変化量を算出する温度変化量算出工程と、
前記算出した温度変化量と線膨張係数と前記橋梁の橋桁の伸縮桁長とに基づいて温度変化による前記橋桁の理論伸縮量を算出する橋桁理論伸縮量算出工程と、
橋梁の橋桁と橋台との接続部および／または前記橋梁の橋桁と橋桁との継ぎ目においてそれぞれ設けられた略鉛直方向の遊間の実測伸縮量または幅を時系列に計測するとともに、前記それぞれの遊間の幅を計測した場合には、前記計測したそれぞれの遊間の幅に基づいて前記それぞれの遊間の実測伸縮量を算出する実測伸縮量計測・算出工程と、
前記算出した温度変化による前記橋梁の橋桁の理論伸縮量と前記計測または算出したそれぞれの遊間の実測伸縮量との対比を行い、前記温度変化による前記橋梁の橋桁の理論伸縮量および前記それぞれの遊間の実測伸縮量に相関関係が認められない場合は、前記橋梁の橋台および／または橋脚の側方移動が発生しているとの判定を行い、前記相関関係が認められる場合は、前記橋梁の橋台および橋脚の側方移動のいずれも発生していないとの判定を行う橋台・橋脚側方移動判定工程と、
前記それぞれの遊間の上部と下部の実測伸縮量または幅を時系列に計測するとともに、前記それぞれの遊間の上部と下部の幅を計測した場合には、前記計測したそれぞれの遊間の上部と下部の幅の値に基づいて前記遊間の上部および下部の実測伸縮量を算出して、それぞれの遊間の上部の実測伸縮量と下部の実測伸縮量との比を算出し、前記算出した実測伸縮量の比に基づいて前記橋梁の橋桁および橋台において傾斜が認められる場合には、前記橋梁の橋桁と橋台との接続部および／または前記橋梁の橋桁と橋桁との継ぎ目において部分接触が発生しているとの判定を行い、前記傾斜が認められない場合には、前記橋梁の橋桁と橋台との接続部および前記橋梁の橋桁と橋桁との継ぎ目において、部分接触および接触のいずれも発生していないか、または、前記橋梁の橋桁と橋台との接続部および／または前記橋梁の橋桁と橋桁との継ぎ目において接触が発生しているとの判定を行う傾斜変状等発生判定工程と、
前記橋梁の橋桁と橋台との接続部および／または前記橋梁の橋桁と橋桁との継ぎ目における部分接触が発生しているとの判定に基づいて、前記橋梁の初期の施工不良であるとの診断、または、前記橋梁の支承および伸縮装置の少なくともいずれかにおいて損傷が発生しているとの診断を行い、前記橋梁の橋台および橋脚の側方移動、ならびに、前記橋梁の橋桁と橋台との接続部および前記橋梁の橋桁と橋桁との継ぎ目における部分接触および接触の、いずれも発生していないとの判定に基づいて、前記橋梁の初期の施工不良であるとの診断を行い、前記橋梁の橋台および／または橋脚の側方移動が発生しているとともに、前記橋梁の橋台および／または橋脚の傾斜変状、ならびに、前記橋梁の橋桁と橋台との接続部および／または前記橋梁の橋桁と橋桁との継ぎ目における部分接触の、少なくともいずれかが発生しているとの判定に基づいて、前記橋梁の橋台および／または橋脚の傾斜および／または変状が発生しているとの診断と、前記橋梁の橋台、前記橋台の杭基礎、前記橋台の直接基礎、前記橋脚のケーソン基礎、前記橋脚の杭基礎および前記橋脚の直接基礎の傾斜を伴う側方移動、ならびに、前記橋梁の支承および伸縮装置の損傷の、少なくともいずれかが発生しているとの診断とを行い、前記橋梁の橋台および／または橋脚の側方移動が発生しているとともに、前記橋梁の橋桁と橋台との接続部および／または前記橋梁の橋桁と橋桁との継ぎ目において接触が発生しているとの判定に基づいて、前記橋梁の橋台および／または橋脚の傾斜を伴わない変状が発生しているとの診断を行う橋台・橋脚傾斜変状／傾斜側方移動・損傷診断工程と
を有する、前記方法。
【手続補正２】
【補正対象書類名】明細書
【補正対象項目名】００２８
【補正方法】変更
【補正の内容】
【００２８】
そして、図２（ｂ）に示すように、橋梁３の橋台３２および／または橋梁３の橋脚３５の側方移動が発生しているとの判定をした場合は、橋梁３の橋台３２および／または橋梁３の橋脚３５の傾斜および／または変状が発生しているとの診断を行い、他方、橋梁３の橋台３２および橋梁３の橋脚３５の側方移動のいずれも発生していないとの判定をした場合は、橋梁３の初期の施工不良であるとの診断を行う。